(57)【特許請求の範囲】
【請求項１】
閉止部材と伸縮性部材とを備える締着システムであって、
（ａ）前記閉止部材は、次のように特徴づけられる複数のタブゾーンに分割され、
ｉ．タブゾーンＡは、前記閉止部材の一部分であって、前記伸縮性部材に取り付けられておらず、上方から見て、前記閉止部材が水平位置において平らに置かれている際に、前記伸縮性部材と同じ垂直平面上にない一部分から、タブゾーンＢの部分を除いた一部分として定義され、
ｉｉ．タブゾーンＣは、前記閉止部材の一部分であって、前記伸縮性部材に取り付けられており、上方から見て、前記閉止部材が水平位置において平らに置かれている際に、前記伸縮性部材と同じ垂直平面上にある一部分から、前記タブゾーンＢの部分を除いた一部分として定義され、
ｉｉｉ．前記タブゾーンＢは、前記タブゾーンＡと前記タブゾーンＣとの間の移行領域を占め、且つ前記閉止部材の一部分であって、前記伸縮性部材に取り付けられておらず、上方から見て、前記閉止部材が水平位置において平らに置かれている際に、前記伸縮性部材と同じ垂直平面上にもないサブ部分と、前記伸縮性部材に取り付けられており、上方から見て、前記閉止部材が水平位置において平らに置かれている際に、前記伸縮性部材と同じ垂直平面上にあるサブ部分と、を含む、前記閉止部材の一部分として定義され、
ｉｖ．前記タブゾーンは、互いに平行であり、それぞれの横方向の境界線は直線になっており、
（ｂ）前記伸縮性部材は、次のように特徴づけられる複数の耳部ゾーンに分割され、
ｉ．耳部ゾーンＡは、前記伸縮性部材の一部分であって、前記伸縮性部材と前記閉止部材とが交差する上側の点を通って引かれた水平線より上方に位置する一部分として定義され、
ｉｉ．耳部ゾーンＢは、前記伸縮性部材の一部分であって、前記伸縮性部材と前記閉止部材とが交差する上側の点を通って引かれた水平線と、前記伸縮性部材と前記閉止部材とが交差する下側の点を通って引かれた水平線との間に位置する部分として定義され、
ｉｉｉ．耳部ゾーンＣは、前記伸縮性部材の一部分であって、前記伸縮性部材と前記閉止部材とが交差する下側の点を通って引かれた水平線より下方に位置する一部分として定義され、
ｉｖ．前記耳部ゾーンはそれぞれに対して平行であり、且つ、前記耳部ゾーンＡと前記耳部ゾーンＢとの間の境界線、及び前記耳部ゾーンＢと前記耳部ゾーンＣとの間の境界線は、それぞれ直線であり、
（ｃ）前記閉止部材が前記タブゾーンのそれぞれを通って動く角度は、前記閉止部材が前記伸縮性部材に取り付けられた際の前記閉止部材の位置によって、次のように特徴づけられ、
ｉ．タブ角Ａは、（ｉ）前記閉止部材の一方の縁部が前記タブゾーンＡと前記タブゾーンＢとの間の境界線と交差する点から、前記閉止部材の同じ縁部が前記タブゾーンＡの他方の境界線に交差する点に引いた直線と、（ｉｉ）前記タブゾーンＡの、前記他方の境界線上に引いた直線と、がなす角として定義され、
ｉｉ．タブ角Ｂは、（ｉ）前記閉止部材の一方の縁部が前記タブゾーンＡと前記タブゾーンＢとの間の境界線と交差する点から、前記閉止部材の同じ縁部が前記タブゾーンＢと前記タブゾーンＣとの間の境界線に交差する点と、（ｉｉ）前記タブゾーンＡとＢとの間の境界線上に引いた直線と、がなす角として定義され、
ｉｉｉ．タブ角Ｃは、（ｉ）前記閉止部材の一方の縁部が前記タブゾーンＢと前記タブゾーンＣとの間の境界線に交差する点から、前記閉止部材の同じ縁部が前記タブゾーンＣの他方の境界線に交差する点と、（ｉｉ）前記タブゾーンＢと前記タブゾーンＣとの間の境界線上に引いた直線と、がなす角として定義され、
前記角Ａは、前記角Ｂと等しくないか、又は実質的に前記角Ｂに類似し、及び／又は前記角Ｂは、前記角Ｃと等しくないか、又は実質的に前記角Ｃに類似し、
前記角Ｂは前記角Ａより大きく、かつ前記角Ａは前記角Ｃより大きい、締着システム。
【請求項２】
前記角Ｂは前記角Ａより１０°以上大きい、請求項１に記載の締着システム。
【請求項３】
前記角Ｂは前記角Ｃより１０°以上大きい、請求項１又は２に記載の締着システム。
【請求項４】
前記角Ａ、前記角Ｂ、及び前記角Ｃのそれぞれは、互いに独立に、４５〜７５°である、請求項１乃至３のいずれか１項に記載の締着システム。
【請求項５】
前記タブゾーンＡの幅は１８〜３８ｍｍである、請求項１乃至４のいずれか１項に記載の締着システム。
【請求項６】
前記タブゾーンＢの幅は、２〜２０ｍｍである、請求項１乃至５のいずれか１項に記載の締着システム。
【請求項７】
前記タブゾーンＢの幅は、前記伸縮性部材の、吸収性物品の前記腰部区域への取付部位から遠位側にある、前記伸縮性部材の端部に対して対称的に配置されている、請求項１乃至６のいずれか１項に記載の締着システム。
【請求項８】
前記閉止部材の遠位部分の中点（Ｍ）は、前記伸縮性部材の遠位縁部が前記伸縮性部材の下側縁部に移行する点を通る水平線より上方にある、請求項１乃至７のいずれか１項に記載の締着システム。
【請求項９】
前記伸縮性部材の横方向縁部によって画定される軸線に関して、前記閉止部材のイメージを実質的に鏡面対象にするようにその寸法が構成されている剥離テープを更に備え、当該剥離テープと締着テープとのサンドイッチが、開かれた状態では、好ましくは少なくとも９０°である角度（角Ｒ）をなす、請求項１乃至８のいずれか１項に記載の締着システム。
【請求項１０】
前記角Ｒは、１００°〜１２０°である、請求項９に記載の締着システム。
【請求項１１】
前記伸縮性部材が１００％の歪みにおいて測定される前記伸縮性部材の歪み率は、前記耳部ゾーンＡの少なくとも５０％が、５０％かそれより大きい歪み率である、請求項１乃至１０のいずれか１項に記載の締着システム。
【請求項１２】
前記伸縮性部材が１００％の歪みにおいて測定される前記伸縮性部材の歪み率は、前記耳部ゾーンＡの少なくとも７５％が、５０％かそれより大きい歪み率である、請求項１乃至１１のいずれか１項に記載の締着システム。
【請求項１３】
（ａ）前記剥離テープのみが、前記伸縮性部材の前記下側縁部と連続する形状を形成し、且つ前記剥離テープが前記伸縮性部材の前記下側縁部と連続する形状を形成する、請求項１乃至１２のいずれか１項に記載の締着システム。
【請求項１４】
前記閉止部材のタブゾーンＢにおける高さ（ｙ）であって、前記伸縮性部材の外側縁部で測定したタブゾーンＢにおける高さ（ｙ）に対する、前記閉止部材の内側縁部での高さ（ｘ）は、ｘがｙより大きいか又はｘがｙと等しい、請求項１乃至１３のいずれか１項に記載の締着システム。
【請求項１５】
請求項１乃至１４のいずれか１項に記載の締着システムの製造方法であって、
（ａ）伸縮性部材材料のロールを機械方向に前進させることと、
（ｂ）剥離テープ／閉止部材のサンドイッチを広げ、前記弾性的／伸縮性部材材料の垂直平面より下方に前記サンドイッチの前記剥離テープの部分が配置され、前記閉止部材の部分が上記垂直平面より上方に配置されるように、前記広げたサンドイッチを係合させることと、
（ｃ）前記伸縮性部材を抜き打ちして成形し、前記閉止部材又は前記剥離テープに前記伸縮性部材の上側縁部又は下側縁部と同じ形状をそれぞれとらせることと、を含み、
ステップ（ｂ）においては、前記閉止部材が、ステップ（ｃ）で打ち抜きされる前記弾性的／伸縮性部材の輪郭の上側縁部に重なり且つそれを超えて延び、前記剥離テープが、ステップ（ｃ）で打ち抜きされる前記弾性的／伸縮性部材の輪郭の下側縁部に重なり且つそれを越えて延びる、締着システムの製造方法。
【請求項１６】
請求項１乃至１４のいずれか１項に記載の締着システムを備える吸収性物品であって、前記吸収性物品は、おむつ、トレーニングパンツ、成人向け尿失禁用下着、及び女性用生理用品から選択される、吸収性物品。
【発明の詳細な説明】
【技術分野】
【０００１】
本開示は、締着システムを備えた物品に関し、特に、前記物品の着用者へのフィット感を改善するような形状を有する締着システムであって、再締着可能な締着システムを備えた着用可能な吸収性物品に関する。
【背景技術】
【０００２】
使い捨ての、おむつのような吸収性物品の角部を固定するために締着システムを用いることが知られている。着用者がそのような物品を使用している間前記物品を着用者に着用させておくための固定手段を提供するために、上記のようなシステムは用いられる。上記のシステムが再締着可能な場合、介護者が汚物のチェックをできるように、使用中に前記物品の位置を変えるために調節をすることが可能である。また、上記のような物品が使用後に廃棄されるまで、前記物品とその汚れた内容物とを包んでおくための固定手段を提供するために用いることも可能である。
【０００３】
吸収性物品とともに用いられる典型的な締着システムは、閉止部材（タブ）及び被着部材を有している場合がある。閉止部材（タブ）は、吸収性物品の腰部区域の前部または後部の一方に、本体部分の長手方向の縁部上に直接又は間接的に配置されていてよい。使用中、閉止部材（タブ）は、被着部材に固定されてよいが、前記被着部材は、吸収性物品の本体部分の前部又は後部のうち、閉止部材（タブ）に対応する位置の逆側に配置されている。再締着可能なシステムには、例えば閉止部材（タブ）上のフックが設けられる場合があり、前記フックは、被着部材に設けられたループに係合したり、取り外したりすることが可能になっている。フィット感を高めるために、閉止部材（タブ）の、被着部材エリアのループに係合しない方の端部が、弾性的／伸縮性部材（耳部）の一端部に取り付けられ、且つ前記弾性的／伸縮性部材の他端部が、吸収性物品の本体部分の長手方向の縁部に固定されていてよい。
【０００４】
締着後、従来の吸収性物品で、閉止機能部（タブ）に接続された弾性的／伸縮性部材（耳部）を有する吸収性物品は、弾性的／伸縮性部材（耳部）内に均等に力を分配できず、また着用者に対して継続的で快適なフィット感を適切に提供できない傾向があるということを、発明者は見出した。（弾性率のより大きい）閉止機能部（タブ）及び（弾性率のより小さい）弾性的／伸縮性部材（耳部）は両者で、吸収性物品を着用者の周囲に保持するために必要な力及び張力の線を提供するが、その両部材が（着用者に対して）垂直方向には不完全な取り付けしかできない場合に、上記の傾向があることはとりわけ明らかである。ここでいう弾性率とは、通常は、１平方メートルあたりＮ（ニュートン）、又は１平方インチあたりポンドを単位として表されるヤング率のことである。また、弾性率がより大きい／より小さいというのは、相対的な意味である。上記の場合、閉止システムを閉止すると、閉止システムの弾性率が大きい部分を介して弾性的／伸縮性部材に、また弾性的／伸縮性部材を介して、力が加えられる。弾性的／伸縮性部材（耳部）への取り付け線に沿った、閉止機能部（タブ）の高さ方向の中心付近で、通常は閉止機能部（タブ）が弾性的／伸縮性部材（耳部）に取り付けられている。通常、閉止部材（タブ）は弾性的／伸縮性部材（耳部）より面積が小さく、しかも閉止部材（タブ）の一部分だけが弾性的／伸縮性部材と係合するので、弾性的／伸縮性部材（耳部）のうち、弾性率がより大きい閉止機能部（タブ）に取り付けられている領域が示す、力又は歪みの輪郭は、取り付けられていない領域が示す力又は歪みの輪郭と同じものとはならない。理論に縛られずに言うならば、フィット感および快適さへの影響は、張力の大きな複数のバンドによって引き起こされた多くのしわの存在により、局所的に不快感が生じること及び肌に赤く痕がつくことにつながり得るような張力の線を発達させることであると、出願者は考えている。
【０００５】
また、再び理論に縛られずに言うならば、従来型の配置における弾性的／伸縮性材料（耳部）は、ポアソン効果式に、弾性率の大きな閉止機能部（タブ）の高さ方向でロープ状につぶれるかたちになりがちで、カバーされる表面積は小さくなり、弾性的／伸縮性部材（耳部）を着用者の身体に、フィット感を与えながら摩擦係止するための接触面積が小さくなると出願者は考えている。分子レベルでは、張力に対応するため、材料格子内で、分子どうしがわずかに動き、分子結合が延伸することによって、ポアソン効果が引き起こされる。上記結合が負荷の方向に長くなると、他の方向には短くなる。理論に制約されずに言うならば、このような挙動が材料格子全体を通じて広がることによって、上述のような現象が生じると思われる。
【０００６】
良好なフィット感を得るための努力がこれまでなされてきたものの、更なる改善が必要となっている。例えば、米国特許第５，３５８，５００（Ｌａｖｏｎ他）は、被着部材に固定されるテープ状のタブであって、おむつを通じて、その横方向に対して斜めにある角度をなすように張力の主要な線が提供されるように成形され、配向されるタブを開示している。しかしながら、着用者によりぴったりとフィットするように、前記斜めになっているテープ状のタブ（これらは、耳部に接続されていないタブの部分においては斜めになっているが、耳部に接続されているタブの部分においては直角に、真っ直ぐになっている）が提供できるよりもより多くの力を、おむつの耳部の上部領域に、そしてそれによっておむつの上部／後部に向けることが望ましい。また、米国特許第５，６０３，７９４（Ｔｈｏｍａｓ）は、使い捨ての吸収性物品とともに用いられるテープ状のタブであって、斜めになっているタブを開示している。しかしながら、着用者によりぴったりとフィットするように、上記のテープ状のタブ（これらは、その上部及び下部の縁部が、耳部に接続されていないタブの部分及び耳部に接続されているタブの部分の上部縁部及び下部縁部に沿っていないような中間部分を欠いている）が提供できるよりもより多くの力を、おむつの耳部の上部領域に、そしてそれによっておむつの上部／後部に向けることが望ましい。それゆえに、吸収性物品の着用者のフィット感を改善し得る締着システムが必要とされている。
【先行技術文献】
【特許文献】
【０００７】
【特許文献１】米国特許第５，３５８，５００
【特許文献２】米国特許第５，６０３，７９４
【発明の概要】
【課題を解決するための手段】
【０００８】
閉止部材（タブ）、及び弾性的／伸縮性部材（耳部）と、剥離テープと、被着部材とのうちの１つ以上を備える締着システムが提供される。前記タブ及び耳部は、ある寸法の複数のゾーンに分割されている。タブがゾーンを移行する角度は一定である。前記システムは、吸収性物品の着用者のフィット感を高めることができる。
【図面の簡単な説明】
【０００９】
【図１】おむつの平面図である。
【図２】図１の断面線２−２に沿って取られた、図１に示されるおむつの断面図である。
【図３】吸収性コア層の部分断面図である。
【図４】吸収性コア層の部分断面図である。
【図５Ａ】本明細書に記載される第１吸収性コア層と第２吸収性コア層との組み合わせを含む吸収性コアの部分断面図である。
【図５Ｂ】本明細書に記載される第１吸収性コア層と第２吸収性コア層との組み合わせを含む吸収性コアの部分断面図である。
【図６Ａ】弾性的／伸縮性部材（耳部）を備えた締着システムの、閉止部材（タブ）と共に又は閉止部材（タブ）なしで示した平面図であり、タブゾーン及びタブ角を示す平面図である。
【図６Ｂ】弾性的／伸縮性部材（耳部）を備えた締着システムの、閉止部材（タブ）と共に又は閉止部材（タブ）なしで示した平面図であり、タブゾーン及びタブ角を示す平面図である。
【図６Ｃ】弾性的／伸縮性部材（耳部）を備えた締着システムの、閉止部材（タブ）と共に又は閉止部材（タブ）なしで示した平面図であり、タブゾーン及びタブ角を示す平面図である。
【図７Ａ】弾性的／伸縮性部材（耳部）を備えた締着システムの、閉止部材（タブ）と共に示した平面図であり、耳部ゾーンを示す平面図である。
【図７Ｂ】弾性的／伸縮性部材（耳部）を備えた締着システムの、閉止部材（タブ）と共に示した平面図であり、耳部ゾーンを示す平面図である。
【図７Ｃ】弾性的／伸縮性部材（耳部）を備えた締着システムの、閉止部材（タブ）と共に示した平面図であり、耳部ゾーンを示す平面図である。
【図８Ａ】矩形ではない被着部材の平面図であって、その中心線近くの凹部を示す平面図である。
【図８Ｂ】矩形の被着部材の上に描いた矩形ではない絵の平面図である。
【図９Ａ】弾性的／伸縮性部材（耳部）を備えた締着システムの、閉止部材（タブ）及び剥離テープと共に示した平面図である。
【図９Ｂ】弾性的／伸縮性部材（耳部）を備えた締着システムの、閉止部材（タブ）及び剥離テープと共に示した平面図である。
【図９Ｃ】弾性的／伸縮性部材（耳部）を備えた締着システムの、閉止部材（タブ）及び剥離テープと共に示した平面図である。
【図９Ｄ】弾性的／伸縮性部材（耳部）を備えた締着システムの、閉止部材（タブ）及び剥離テープと共に示した平面図である。
【図９Ｅ】組み立てライン上で製造される間の、弾性的／伸縮性部材（耳部）を備えた締着システムを、閉止部材（タブ）及び剥離テープと共に示した俯瞰図である。
【図９Ｆ】弾性的／伸縮性部材（耳部）を備えた締着システムの、閉止部材（タブ）と共に示した平面図である。
【図９Ｇ】弾性的／伸縮性部材（耳部）を備えた締着システムの、閉止部材（タブ）と共に示した平面図である。
【図９Ｈ】弾性的／伸縮性部材（耳部）を備えた締着システムの、閉止部材（タブ）と共に示した平面図である。
【図１０】締着システムのテスト用サンプルにかかる力の量を示す、歪みマッピング技法を用いた描画である。
【図１１】締着システムのテスト用サンプルにかかる力の量を示す、歪みマッピング技法を用いた描画である。
【図１２】締着システムのテスト用サンプルにかかる力の量を示す、歪みマッピング技法を用いた描画である。
【図１３】締着システムのテスト用サンプルにかかる力の量を示す、歪みマッピング技法を用いた描画である。
【図１４】締着システムのテスト用サンプルにかかる力の量を示す、歪みマッピング技法を用いた描画である。
【図１５】締着システムのテスト用サンプルにかかる力の量を示す、歪みマッピング技法を用いた描画である。
【図１６】締着システムのテスト用サンプルにかかる力の量を示す、歪みマッピング技法を用いた描画である。
【発明を実施するための形態】
【００１０】
用語の定義
本開示を理解する上で、以下の用語の説明が有用であり得る。
【００１１】
「吸収性物品」とは、身体排出物を吸収して閉じ込める装置のことを指し、より詳細には、着用者の身体に接して又は近接して置かれることによって、身体から排出される様々な排出物を吸収して閉じ込める装置のことを指す。吸収性物品としては、おむつ、トレーニングパンツ、成人用失禁下着、女性用衛生製品、胸パッド、ケアマット、よだれ掛け、創傷包帯製品、及び同種のものを挙げることができる。本明細書で使用するところの用語「体液」又は「身体排出物」としては、これらに限定されるものではないが、尿、血液、膣排出物、母乳、汗及び糞便が挙げられる。
【００１２】
「吸収性コア」は、吸収性物品が受け取った液体を吸収し封入するために、吸収性物品のトップシートとバックシートとの間に配置され得る構造体を意味し、１つ又は２つ以上の基材と、１つ又は２つ以上の基材上に配置された吸収性ポリマー材料と、吸収性粒子状ポリマー材料を１つ又は２つ以上の基材上に固定化するための、吸収性粒子状ポリマー材料上及び１つ又は２つ以上の基材の少なくとも一部分上の熱可塑性組成物とを含んでもよい。多層吸収性コアでは、吸収性コアはまたカバー層も含んでもよい。１つ又は２つ以上の基材及びカバー層は、不織布を備えてもよい。更に、吸収性コアは、実質的にセルロースを含まなくてもよい。吸収性コアには、吸収性物品の獲得システム、トップシート、又はバックシートは含まれない。
【００１３】
「吸収性ポリマー材料」、「吸収性ゲル材料」、「ＡＧＭ」、「超吸収体」、及び「超吸収性材料」は、互換的に使用され、遠心分離保持容量試験（エダナ（Edana）４４１．２−０１）を使用して測定したときに、０．９％食塩水溶液をその重量の少なくとも５倍吸収可能な架橋された高分子材料を指す。
【００１４】
「吸収性粒子状ポリマー材料」は、乾燥状態で流動性を有する微粒子状形態である吸収性ポリマー材料を意味する。
【００１５】
「吸収性微粒子ポリマー材料領域」は、第１の基材及び第２の基材が多数の超吸収性微粒子によって隔てられたコアの領域を意味する。この領域の外側には、第１の基材６４と第２の基材との間に幾つかの外部超吸収性微粒子が存在してもよい。
【００１６】
「活性化」とは、歯と溝との噛み合いによって発生する引っ張り歪みによって中間のウェブ部分を延伸又は伸長する任意のプロセスを意味する。こうしたプロセスは、通気性フィルム、伸縮性複合材料、孔あき材料及びテクスチャ加工材料などの多くの物品の製造において有用であることが分かっている。不織布では、延伸によって繊維再配向、繊維のデニール及び／又は断面の変化、坪量の低下、及び／又は中間ウェブ部分の制御された繊維破壊が生じ得る。一般的な活性化方法としては、例えば、前記技術分野ではリングロール加工として知られるプロセスがある。
【００１７】
「エアフェルト」とは、粉砕木材パルプを意味し、粉砕木材パルプとはセルロース繊維の１つの形態である。
【００１８】
「坪量」とは、単位面積当たりの乾燥繊維材料の質量、即ち、単位面積当たりの乾燥シートの質量、例えば、１平方メートル当たりのグラム数（ｇｓｍ）を意味する。
【００１９】
「身体に面する表面」及び「身体に面する側」は、吸収性物品の表面及び／又はその構成要素であって、前記吸収性物品が着用された際に着用者の身体に面するものを指す。さらに、「衣類に面する表面」及び「衣類に面する側」という用語は、吸収性物品の表面及び／又はその構成要素であって、前記吸収性物品が着用された際に、着用者の身体とは逆を向いているものを指す。吸収性物品と、トップシート、バックシート、吸収性コアを含むその構成要素と、その構成要素のあらゆる個々の材料とは、身体に面する表面及び／又は側面、及び衣類に面する表面及び／又は側面を有する。
【００２０】
「バイコンポーネント繊維」は、別個の押出成形機から押し出されるが共に紡糸されて１つの繊維を形成する、少なくとも２つの異なるポリマーから形成された繊維を意味する。バイコンポーネント繊維は、複合繊維又は多要素繊維と呼ばれることもある。各ポリマーは、バイコンポーネント繊維の断面においてほぼ位置が一定した異なる領域に配され、バイコンポーネント繊維の長さに沿って連続的に延びる。そのようなバイコンポーネント繊維の構成は、例えば、１つのポリマーが別のポリマーにより包囲されたシース／コア配置とするか、又はサイドバイサイド配置、パイ型配置、又は「海島型」配置とすることができる。
【００２１】
「含む（comprise）」、「含んでいる（comprising）」、及び「備える（comprises）」は非限定的な用語であり、それぞれの語の後に記載されるもの（例えば構成要素）の存在を特定するものであるが、他の特徴（例えば要素、工程、前記技術分野において既知であるか、又は本明細書に開示される構成要素）の存在を除外するものではない。
【００２２】
「本質的に〜からなる」とは、請求項におけるもののような発明の主題を、材料又は工程、並びに前記主題の基本的及び新しい特徴に実質的に影響しないものに限定するのに使用される。
【００２３】
「使い捨て式の」とは、その通常の意味において、様々な期間にわたって、限定された使用回数、例えば約２０回未満、約１０回未満、約５回未満、又は約２回未満の後に処分又は廃棄される物品を意味するものとして使用される。
【００２４】
「おむつ」とは、幼児及び失禁症状のある人が着用者の腰部及び脚部を取り巻くように、胴体下部の周りに一般に着用し、具体的には、尿及び糞便を受容し及び封じ込めるように適合された吸収性物品を意味する。本明細書で使用するとき、用語「おむつ」は、以下で定義されている「パンツ」も包含する。
【００２５】
「繊維」及び「フィラメント」は、同じ意味で使用される。
【００２６】
「フィルム」は、１つ以上のポリマーで形成される材料の皮膚様又は膜様の層を意味し、統合されたポリマー繊維及び／又は他の繊維のウェブ様構造から主に構成される形態を有しない。
【００２７】
「内側」及びその形態は、締着部材の特徴に関し、自由遠位端から最も遠い、又は自由遠位端から離れる方向を意味する。
【００２８】
「接合した」という用語は、要素を他の要素に直接付着させることによりその要素が他の要素に直接固定される構成と、一つの要素を中間部材に付着させて、次に中間部材を他の要素に付着させることにより、その要素が他の要素に間接的に固定される構成とを包含するよう意図されている。
【００２９】
「長手方向」は、物品が平らに延ばされた非収縮状態のときに吸収性物品の腰部縁部から長手方向に対向する腰部縁部まで、又は２つ折りにされた物品では、腰部縁部から股部の底部（即ち、折り目）まで、実質的に垂直に走る方向を意味する。長手方向から４５°以内の方向は、「長手方向」であると見なされる。「横方向」とは、物品の長手方向に延びる側縁部から、横方向に対向する長手方向に延びる側縁部まで、長手方向にほぼ垂直に走る方向を意味する。横方向の４５度以内の方向は「横方向」であると見なされる。
【００３０】
「機械方向」（ＭＤ）は、プロセスを貫流する材料の方向を意味する。加えて、材料の相対的配置及び動きは、プロセスの上流からプロセスの下流へと、プロセス全体で機械方向に流れるものとして記述され得る。「横断方向」（ＣＤ）は、本明細書において、機械方向に対してほぼ垂直な方向を意味する。ウェブに関して「Ｚ方向」は、機械方向及び横断方向寸法に沿ってウェブによって近似される平面に対して、概ね直交又は垂直を意味する。
【００３１】
「不織布」は、一方向に又は不規則に配向され、摩擦及び／又は粘着及び／又は接着により固着された繊維の、人造シート、ウェブ、又はバットであるが、紙と、縫うかどうかを問わず、織られた、編まれた、房状の、糸若しくはフィラメントの結合を組み込んでステッチボンドされた、又は湿式ミリングによるフェルト加工された製品と、を除く。繊維は、天然起源のものであっても人工起源のものであってもよく、短繊維若しくは連続フィラメントであっても、又はその場で形成されたものであってもよい。市販の繊維は、約０．００１ｍｍ未満〜約０．２ｍｍを上回る範囲の直径を有し、幾つかの異なる形態、すなわち、短繊維（ステープル又は細断繊維として知られる）、連続単繊維（フィラメント又はモノフィラメント）、撚り合わせていない連続フィラメントの束（タウ糸）、及び連続フィラメントの撚り束（編み糸）として提供されている。不織布繊維は、メルトブロー法、スパンボンド法、溶剤紡糸法、静電紡糸法、及びカード法等、多くのプロセスによって形成することができる。不織布繊維の坪量は、通常、一平方メートル当たりのグラム（ｇｓｍ）で表される。
【００３２】
「外側」及びその形態は、締着部材の特性に関し、自由遠位端側、又はそれに向かう方向を意味する。
【００３３】
「パンツ」又は「トレーニングパンツ」は、乳児又は成人の着用者に合わせて設計された腰部開口部と脚部開口部とを有する使い捨て衣類を指す。パンツは、着用者の脚を脚部開口部に挿入し、パンツを着用者の胴体下部の周囲にまでずらすことによって着用者に対して定位置に置くことができる。パンツは、再締着可能な及び／又は再締着不可能な結合（例えば、縫い目、溶接、接着剤、粘着結合、締着具など）を使用する物品の一部分の相互接合を含むが、これらに限定されない好適な任意の技術により予備成形されてもよい。パンツは、物品の外周に沿った任意の位置において予備成形することができる（例えば、側面固定、前腰部固定）。用語「パンツ（単数又は複数）」が本明細書では使用されるが、パンツは、一般に「密閉型おむつ」、「事前締着型おむつ」、「プルオン型おむつ」、「トレーニングパンツ」、及び「おむつパンツ」とも呼ばれる。好適なパンツは、１９９３年９月２１日にＨａｓｓｅらに発行された、米国特許第５，２４６，４３３号、１９９６年１０月２９日にＢｕｅｌｌらに発行された、米国特許第５，５６９，２３４号、２０００年９月１９日にＡｓｈｔｏｎに発行された、米国特許第６，１２０，４８７号、２０００年９月１９日にＪｏｈｎｓｏｎらに発行された、米国特許第６，１２０，４８９号、１９９０年７月１０日にＶａｎ  Ｇｏｍｐｅｌらに発行された、米国特許第４，９４０，４６４号、１９９２年３月３日にＮｏｍｕｒａらに発行された、米国特許番号５，０９２，８６１号、２００２年６月１３日に出願された、米国特許公開第２００３／０２３３０８２  Ａ１号、表題「Ｈｉｇｈｌｙ  Ｆｌｅｘｉｂｌｅ  Ａｎｄ  Ｌｏｗ  Ｄｅｆｏｒｍａｔｉｏｎ  Ｆａｓｔｅｎｉｎｇ  Ｄｅｖｉｃｅ」、１９９９年４月２７日にＫｌｉｎｅらに発行された、米国特許第５，８９７，５４５号、１９９９年９月２８日にＫｌｉｎｅらに発行された、米国特許第５，９５７，９０８号に開示されている。
【００３４】
「実質的にセルロースを含まない」とは、１０重量％未満のセルロース繊維、５重量％未満のセルロース繊維、１重量％未満のセルロース繊維を含有する、セルロース繊維を含有しない、又は微量を超えたセルロース繊維を含有しない、吸収性コアなどの物品を意味する。ごく微量のセルロース材料は、吸収性コアの薄さ、可撓性、又は吸収性に大きく影響することはない。
【００３５】
「実質的に連続的に分布した」は、吸収性微粒子ポリマー材料領域内において、第１の基材６４及び第２の基材７２が多数の超吸収性微粒子によって隔てられていることを示す。吸収性粒子状ポリマー材料領域内において、第１の基材６４と第２の基材７２との間に小さな偶発接触領域が存在してもよいことが認められる。第１の基材６４と第２の基材７２との間にある偶然接触領域は、意図的であっても意図的でなくてもよい（例えば、製造過程で人為的に発生したもの）が、枕状体、ポケット、管、キルトパターンなどのような幾何学的配列を形成しない。
【００３６】
「引張強度」は、本明細書に記載される引張強度測定方法によって測定されたときの、引張破損前の材料が耐えるであろう最大引張力（ピーク力）を指す。
【００３７】
「熱可塑性接着剤材料」は、乾燥した状態及び濡れた状態の両方において超吸収性材料を不動化する目的で超吸収性材料に塗布され、繊維が形成されるポリマー組成物を含むものと解される。本開示の熱可塑性接着剤材料は、超吸収性材料を覆って繊維性網状組織を形成する。
【００３８】
「厚さ」及び「キャリパー」は、本明細書において同じ意味で使用される。
【００３９】
実施形態によっては、吸収性物品はおむつである。便宜上、例示的な吸収性物品は、おむつを参照して説明される。当業者は、他の吸収性物品も、トップシート及び本明細書に開示される関連部品で組み立てることができることを理解するであろう。
【００４０】
図１は、おむつ１０が広げた非収縮状態（弾性による収縮がない）で示された平面図であり、おむつ１０の一部は、おむつ１０の下部構造をより明瞭に示すために、切り取られている。着用者に接触するおむつ１０の部分は、図１において観察者の方を向いている。おむつ１０は一般に、シャーシ１２と、シャーシ内に配置される吸収性コア１４と、を備えていてもよい。
【００４１】
図１のおむつ１０のシャーシ１２は、液体透過性であり得るトップシート１８、及び／又は液体不透過性であり得るバックシート２０を含む、外側カバー１６を含んでもよい。吸収性コア１４は、トップシート１８とバックシート２０との間に包まれていてもよい。シャーシ１２は、サイドパネル２２、弾性レッグカフ２４、及び腰部弾性機能部２６を更に含んでもよい。
【００４２】
レッグカフ２４及び腰部弾性機能部２６はそれぞれ、弾性部材２８を含み得る。おむつ１０の１つの末端部は、おむつ１０の第１の腰部区域３０として構成されてもよい。おむつ１０の反対側の末端部は、おむつ１０の第２の腰部区域３２として構成されてもよい。おむつ１０の中間部分は、股部区域３４として構成されてもよく、これは、第１の腰部区域３０と第２の腰部区域３２との間を長手方向に延びている。腰部区域３０及び３２は、着用者のウエストの周りでギャザーを寄せてフィット性及び封入性を改善するように、弾性要素を包含してもよい（腰部弾性機能部２６）。股部区域３４は、おむつ１０が装着されるとき、着用者の脚部の間に概ね存在する、おむつ１０の上記部分である。
【００４３】
おむつ１０は、長手方向軸３６及び横方向軸３８を有するものとして、図１に表される。おむつ１０の外周４０は、長手方向縁部４２がおむつ１０の長手方向軸３６にほぼ平行に延び、終縁部４４がおむつ１０の横断方向軸線３８にほぼ平行に長手方向縁部４２の間を延びる、おむつ１０の外側縁部によって画定される。シャーシ１２は、締着システムをも備えていてよく、前記システムは、少なくとも１つの締着部材４６と、少なくとも１つの格納された被着部材４８と、を含んでいてよい。
【００４４】
また、おむつ２０は前記技術分野において既知のその他の機構（前及び後耳パネル、ウエストキャップ機構、弾性体などを包含する）を含み、フィット性、封入性、審美特性を向上させてもよい。このような追加的な特徴は、米国特許第３，８６０，００３号、及び同第５，１５１，０９２号に記載される。
【００４５】
おむつ１０を着用者の周囲の定位置に保持するため、第１の腰部区域３０の少なくとも一部を、締着部材４６により第２の腰部区域３２の少なくとも一部に取り付けることによって、脚部開口部及び物品の腰部開口部を形成することができる。締結する時、締着システムが物品の腰部周辺の引張荷重を伝達する。締着システムにより、物品のユーザーは、締着システムの１要素、例えば締着部材４６を保持し、少なくとも２箇所で第１腰部区域３０を第２腰部区域３２に連結させることができる。これは、締着システムの要素間の結合強度を操作することによって実現することができる。
【００４６】
締着部材４６は、再締着可能に第１腰部区域３０と連結するように適合されている。そのために、締着部材４６は、さまざまなタイプの再締着可能に係合可能な締着具及びさまざまなタイプの再締着可能な締着構造体を含んでいてよい。例えば、締着部材４６は、面ファスナー式締着具、フック・フック式締着具、マクロ締着具、ボタン、スナップ、タブ・スロット式締着具、テープ式締着具、接着式締着具、粘着式締着具、磁気式締着具、及び雄雌式締着具などの形式の、機械的締着具を含んでもよい。締着システム及び／又は締着用構成要素のいくつかの例が、米国特許第３，８４８，５９４号、第４，６６２，８７５号、第４，８４６，８１５号、第４，８９４，０６０号、第４，９４６，５２７号、第５，１５１，０９２号、第５，２２１，２７４号、第６，２５１，０９７号、第６，６６９，６１８号、及び第６，４３２，０９８号、並びに米国特許出願公開第２００７／００７８４２７号及び第２００７／００９３７６９号に論じられている。
【００４７】
いくつかの実施形態によると、おむつ１０は、再閉止可能な締着システムを備えることが可能であり、あるいは、パンツ型おむつの形態で提供され得る。吸収性物品がおむつである場合、おむつを着用者に固定するために、シャーシに接合した再閉止可能な締着システムを含むことが可能である。吸収性物品がパンツ型おむつである場合、物品は、シャーシに、また互いに接合された少なくとも２つのサイドパネルを含んで、パンツを形成することが可能である。締着システム及びその任意の構成要素は、プラスチック、フィルム、発泡体、不織布、織布、紙、積層体、繊維強化プラスチックなど、又はこれらの組み合わせを含む（ただしこれらに限られない）、こうした用途に適した任意の材料を含み得る。特定の実施形態では、締着システムを構成する材料は、可撓性材料であり得る。こうした可撓性により、締着システムを身体の形状に適合させることができるため、締着システムが着用者の皮膚を刺激したり傷つけたりする可能性を低減させることができる。
【００４８】
トップシート１８、バックシート２０、及び吸収性コア１４は、例えば、米国特許第５，５５４，１４５号、第５，５６９，２３４号、及び第６，００４，３０６号に一般的に記載されるような、様々な構成で組み立てられてもよい。使い捨て吸収性物品を構築及び構成するための、おむつを組み立てる方法は、前記技術分野において既知の従来の技術を含む。例えば、バックシート及び／又はトップシートは、接着剤の均一な連続層、接着剤の模様付き層、又は接着剤の別個の線、螺旋、又は点の配列により、吸収性コアに結合させるか、又は互いに結合させることができる。満足のいくものであることが判明した接着剤の製造元は、Ｈ．Ｂ．Ｆｕｌｌｅｒ  Ｃｏｍｐａｎｙ（Ｓｔ．Ｐａｕｌ，Ｍｉｎｎｅｓｏｔａ）であり、その製品名は、ＨＬ−１２５８又はＨ−２０３１である。
【００４９】
いくつかの実施形態では、図１のトップシート１８は、全体的に又は部分的に弾性を持たせてもよく、あるいは収縮してトップシート１８と吸収性コア１４との間に空間を提供してもよい。弾性のある又は収縮されたトップシートを含む代表的な構造体が、米国特許第５，０３７，４１６号及び同第５，２６９，７７５号により詳細に記載されている。
【００５０】
バックシート２６は、トップシート１８に接合されてもよい。バックシート２０は、吸収性コア１４に吸収され、おむつ１０内に収容される排出物が、ベッドシーツ及び下着などの、おむつ１０に接触する可能性があるその他の外部物品を汚すのを防いでもよい。特定の実施形態では、バックシート２６は、液体（例えば、尿）に対して実質的に不透過性であってもよく、不織布の積層体及び約０．０１２ｍｍ（０．５ミル）〜約０．０５１ｍｍ（２．０ミル）の厚さを有する熱可塑性フィルムのような、薄いプラスチックフィルムを含んでもよい。好適なバックシートフィルムとしては、インディアナ州テレ・ホート（Terre Haute）のトレデガー・インダストリーズ社（Tredegar Industries Inc）によって製造され、商品名Ｘ１５３０６、Ｘ１０９６２、及びＸ１０９６４として販売されているものが挙げられる。他の好適なバックシート材料としては、蒸気をおむつ１０から逃がしつつも、なお液体排出物がバックシート１０を通過するのを防止する通気性材料を挙げてもよい。代表的な通気性材料としては、織布ウェブ、不織ウェブ、フィルムコーティング不織ウェブなどの複合材料、並びにエスポアール（ＥＳＰＯＩＲ）ＮＯの呼称で日本の三井東圧株式会社（Mitsui Toatsu Co.）により製造されているミクロ孔質フィルム及びエグザイア（EXXAIRE）の名称でテキサス州ベイシティー（Bay City）のエクソンケミカル社（EXXON Chemical Co.）により製造されているようなミクロ孔質フィルムなどの材料を挙げることができる。ポリマーブレンドを含む適した通気性複合材料は、名称ハイトレル（HYTREL）ブレンドＰ１８−３０９７として、クロペイ社（Clopay Corporation）（オハイオ州シンシナティ（Cincinnati,OH））から入手可能である。このような通気性複合材料は、ＰＣＴ出願第ＷＯ  ９５／１６７４６号（１９９５年６月２２日に公開、Ｅ．Ｉ．ＤｕＰｏｎｔ名義）に詳細に記載される。不織布ウェブ及び孔形成フィルムを含む他の通気性バックシートは、米国特許第５，５７１，０９６号に記載されている。
【００５１】
図２は、断面線２−２に沿って取られた、図１に示されるおむつの断面図である。図２に示されるように、トップシート１８は、内部の身体に面する表面を画定してもよく、バックシートは、おむつ１０の外側の衣類に面する表面を画定してもよい。さらに吸収性コア１４はトップシートとバックシートとの間に位置付けられてもよい。おむつ１０は、液体透過性トップシート１８と吸収性コア１４の着用者に面する側との間に配置される獲得システム５０を含んでもよい。獲得システム５０は、吸収性コアと直接接触していてよい。獲得システム５０（また、本明細書においては液体獲得層５０とも称される）は、着用者の皮膚の方を向く上方獲得層５２（本明細書においてはまた、第１獲得層５２とも称される）などの単一又は多数の層、及び着用者の衣類の方を向く下方獲得層５４（本明細書においては、第２獲得層５４とも称される）などの、単一層、又は多層を含み得る。いくつかの実施形態では、獲得システム５０は、尿の噴出など、急増する液体を受け取るように機能してもよい。換言すれば、獲得システム５０は、吸収性コア１４が液体を吸収できるまで液体の一時的リザーバとしての機能を果たしてもよい。
【００５２】
いくつかの実施形態において、獲得システム５０は、化学的に架橋したセルロース繊維を含み得る。このような架橋されたセルロース繊維は、所望の吸収特性を有し得る。化学的に架橋されたセルロース繊維の一例が、米国特許第５，１３７，５３７号に開示されている。特定の実施形態では、化学的に架橋されたセルロース繊維は、グルコース単位に基づいて、０．５モル％〜１０．０モル％のＣ２〜Ｃ９ポリカルボン酸架橋剤で、又は１．５モル％〜６．０モル％のＣ２〜Ｃ９ポリカルボン酸架橋剤で架橋される。クエン酸は代表的な架橋剤の１つである。いくつかの実施形態においては、ポリアクリル酸が使用され得る。更に、いくつかの実施形態によると、架橋されたセルロース繊維は、２５〜６０、又は２８〜５０、又は３０〜４５の保水値を有する。保水値を決定するための方法は、米国特許第５，１３７，５３７号に開示されている。いくつかの実施形態によると、架橋されたセルロース繊維は、捲縮されるか、撚り合わされるか、又はカールされてもよく、あるいは、捲縮、撚り合わせ、及びカールを包含するそれらの組み合わせであってもよい。
【００５３】
いくつかの実施形態において、上方獲得層５２及び下方獲得層５４の一方又は両方が、親水性であり得る、不織布を含み得る。更に、いくつかの実施形態によると、上方獲得層５２及び下方獲得層５４の一方又は両方が化学的に架橋されたセルロース繊維を含んでもよく、これらセルロース繊維は不織布材料の一部を形成しても形成しなくてもよい。いくつかの実施形態によると、上方獲得層５２は、架橋されたセルロース繊維を有さない不織布を含んでもよく、下方獲得層５４は、化学的に架橋されたセルロース繊維を含んでもよい。更にいくつかの実施形態によると、下方獲得層５４は、天然又は合成高分子繊維などの他の繊維と混合された、化学的に架橋されたセルロース繊維を含んでもよい。いくつかの実施形態によれば、このような他の天然又は合成ポリマー繊維としては、表面積の大きな繊維、熱可塑性結合繊維、ポリエチレン繊維、ポリプロピレン繊維、ＰＥＴ繊維、レーヨン繊維、リオセル繊維、及びこれらの混合物を挙げることができる。いくつかの実施形態によると、下方獲得層５４が、ある全乾燥重量を有するとして、架橋されたセルロース繊維は、上方獲得層において乾燥重量基準で下方獲得層５４の３０重量％〜９５重量％の量で存在しており、また、その他の天然又は合成高分子繊維は、下方獲得層５４において乾燥重量基準で下方獲得層５４の７０重量％〜５重量％の量で存在している。別の実施形態によれば、架橋されたセルロース繊維は、乾燥重量基準で下方獲得層５４の８０重量％〜９０重量％の量で第１獲得層中に存在し、他の天然又は合成ポリマー繊維は、乾燥重量基準で下方獲得層５４の２０重量％〜１０重量％の量で下方獲得層５４中に存在する。
【００５４】
例えば、いくつかの実施形態では、下方獲得層５４は、７０重量％の化学的に架橋されたセルロース繊維、１０重量％のポリエステル（ＰＥＴ）、及び２０重量％の未処理のパルプ繊維を含んでもよい。他の実施形態によると、下方獲得層５４は、７０重量％の化学的に架橋されたセルロース繊維、２０重量％のリオセル繊維、及び１０重量％のＰＥＴ繊維を含んでもよい。さらに他の実施形態によると、下方獲得層５４は、６８重量％の化学的に架橋されたセルロース繊維、１６重量％の未処理のパルプ繊維、及び１６重量％のＰＥＴ繊維を含んでもよい。ある１つの実施形態では、下部捕捉層５４は、９０〜１００重量％の化学的に架橋されたセルロース繊維を含んでもよい。
【００５５】
上方獲得層５２及び下方獲得層５４のための好適な不織布材料としては、スパンボンド層、メルトブロー層、及び更なる別のスパンボンド層を含む、ＳＭＳ材料が挙げられるが、これらに限定されない。特定の実施形態では、永久的に親水性の不織布、特に、耐久的に親水性コーティングされた不織布が望ましい。別の好適な実施形態は、ＳＭＭＳ構造を含む。特定の実施形態では、不織布は多孔質である。
【００５６】
特定の実施形態において、好適な不織布材料には、ＰＥ、ＰＥＴ及びＰＰなどの合成繊維が挙げられるがこれらに限定されない。不織布製造のために使用されるポリマーは、本来疎水性であってもよく、これは親水性コーティングによりコーティングされ得る。耐久的に親水性のコーティングを有する不織布を製造するための１つの方法は、同時係属中の米国特許出願公開第２００５／０１５９７２０号に記載されているように、親水性モノマー及びラジカル重合反応開始剤を不織布上に塗布し、紫外線で活性化して重合を起こすことによって、不織布の表面に化学結合したモノマーを生成させるものである。耐久性のあるコーティングを有する不織布を製造するために別の方法は、米国特許第７，１１２，６２１号、及びＰＣＴ特許出願公開第ＷＯ  ０２／０６４８７７号に記載される、親水性ナノ粒子で、不織布をコーティングするものである。
【００５７】
ナノ粒子は、７５０ｎｍ未満の最大寸法を有し得る。２〜７５０ｎｍの範囲の寸法を有するナノ粒子が経済的に製造され得る。いくつかのナノ粒子は、水溶液中で容易に分散して、不織布上にコーティング塗布可能であり、透明なコーティングを形成し、水溶液から塗布されたコーティングは、水への曝露に対して十分に耐久性があり得る。ナノ粒子は、有機又は無機、合成又は天然であってよい。無機ナノ粒子は、一般に酸化物、ケイ酸塩、及び／又は、炭酸塩として存在する。好適なナノ粒子の典型例は、層状粘土鉱物（例えば、サザンクレイプロダクツ社（Southern Clay Products,Inc.）（米国）からのラポナイト（LAPONITE）（商標）、及びベーマイト（Boehmite）アルミナ（例えば、ノースアメリカンセイソル社（North American Sasol.）からのディスペラル（Disperal）Ｐ２（商標））である。いくつかのの実施形態によると、好適なナノ粒子コーティングされた不織布は、米国特許出願公開第２００４／０１５８２１２Ａ１号に開示されるものである。
【００５８】
他の不織布は、米国特許第６，６４５，５６９号、同第６，８６３，９３３号、及び同第７，１１２，６２１号、加えて、米国特許出願公開第２００３／０１４８６８４Ａ１号、及び同第２００５／０００８８３９Ａ１号に記載されている。
【００５９】
場合によっては、不織布表面は、ナノ粒子コーティングを塗布する前に、高エネルギー処理（コロナ、プラズマ）によって前処理され得る。高エネルギーの前処理は、典型的には低表面エネルギー表面（ＰＰなど）の表面エネルギーを一時的に増大させ、その結果、水中のナノ粒子の分散による不織布のより良好な濡れを可能にする。
【００６０】
恒久的に親水性の不織布は、吸収性物品の他の部分において使用され得る。例えば、いくつかの実施形態では、上記のような永久的に親水性の不織布を含むトップシート及び吸収性コア層が使用され得る。
【００６１】
いくつかの実施形態によれば、上方獲得層５２は、外部圧力が加えられて取り除かれると良好な回復をもたらす材料を含んでもよい。更に、いくつかの実施形態によると、上方獲得層５２は、例えば、上述した種類の高分子繊維から選択される、異なる繊維のブレンドを含んでもよい。いくつかの実施形態では、繊維の少なくとも一部分は、螺旋形状を有するスパイラル捲縮を呈してもよい。いくつかの実施形態では、上方獲得層５２は、程度若しくは種類のうち一方、又は両方の異なる捲縮を有する繊維を含んでもよい。例えば、いくつかの実施形態は、１ｃｍ当たり約３〜約４．７クリンプ（１インチ当たり８〜約１２クリンプ（ｃｐｉ））、又は１ｃｍ当たり約３〜約３．９クリンプ（９〜約１０ｃｐｉ）を有する繊維と、１ｃｍ当たり約２〜約３クリンプ（４〜約８ｃｐｉ）、又は１ｃｍ当たり約２〜約３クリンプ（５〜約７ｃｐｉ）を有する他の繊維との組み合わせを含み得る。異なる種類の捲縮としては、２Ｄ捲縮又は「平らな捲縮」、及び３Ｄ又はスパイラル捲縮が挙げられるが、これらに限定されない。いくつかの実施形態によると、上記繊維には、通常は第１及び第２の高分子材料である異なる材料からそれぞれの個別の繊維がなっている、バイコンポーネント繊維を包含してもよい。
【００６２】
特定の実施形態では、上方獲得層５２は、ラテックス結合剤、例えば、スチレン−ブタジエンラテックス結合剤（ＳＢラテックス）によって安定化されてもよい。そのようなラテックスを得るための方法は例えば、欧州特許出願公開第ＥＰ  ０１４９８８０Ａ２号、及び米国特許出願公開第２００３／０１０５１９０号によるものが既知である。いくつかの実施形態では、結合剤は、約１２重量％、約１４重量％、又は約１６重量％を超えて上方獲得層５２に存在していてもよい。ある実施形態のために、ＳＢラテックスは、商標名ＧＥＮＦＬＯ（商標）３１６０（ＯＭＮＯＶＡ  Ｓｏｌｕｔｉｏｎｓ  Ｉｎｃ．オハイオ州アクロン（Akron））により入手可能である。
【００６３】
図１〜４、５Ａ及び５Ｂに示されるような、吸収性コア１４は、トップシート１８とバックシート２０との間に配置され得るだけでなく、第１吸収性層６０及び第２吸収性層６２の、２つの層を含み得る。図３に最もよく示されるように、吸収性コア１４の第１吸収層６０は、基材６４と、基材６４上の吸収性粒子状ポリマー材料６６と、第１基材６４上の吸収性粒子状ポリマー材料６６を覆い不動化するための接着剤としての、吸収性粒子状ポリマー材料６６上及び第１基材６４の少なくとも一部上の熱可塑性組成物６８とを含む。図４に例示された別の実施形態によると、吸収性コア１４の第１吸収層６０はまた、熱可塑性組成物６８上の被覆層７０を包含してもよい。
【００６４】
図２に図示されるように、吸収性コア１４の第２吸収性層６２は、基材７２と、第２基材７２上の吸収性微粒子ポリマー材料７４と、第２基材７２上の吸収性微粒子ポリマー材料７４を不動化するための、吸収性微粒子ポリマー材料７４上及び第２基材７２の少なくとも一部の上の熱可塑性組成物６６と、を含むことが可能である。図示されていないが、第２吸収層６２もまた、図４に例示された被覆層７０のような被覆層を包含してもよい。
【００６５】
第１吸収層６０の基材６４はダスティング層と呼ばれることがあり、おむつ１０のバックシート２０に面する第１表面７８と、吸収性粒子状ポリマー材料６６に面する第２表面８０とを有する。第２吸収層６２の基材７２はコアカバーと呼ばれることがあり、おむつ１０のトップシート１８に面する第１表面８２と、吸収性粒子状ポリマー材料７４に面する第２表面８４とを有する。第１の基材６４及び第２の基材７２は、外周の周辺部で接着剤により互いに接着されて、吸収性微粒子ポリマー材料６６及び７４を吸収性コア１４内に保持するための包みを、吸収性微粒子ポリマー材料６６及び７４の周りに形成することが可能である。
【００６６】
いくつかの実施形態において、第１吸収層６０及び第２吸収層６２の基材６４、及び基材７２は、上記の不織布材料のような、不織布材料であってもよい。いくつかの実施形態において、不織布は多孔質であり、約３２マイクロメートルの孔径を有してもよい。
【００６７】
図５Ａ及び５Ｂに示されるように、第１の層６０及び第２の層６２が組み合わされて、吸収性コア１４を形成する。吸収性コア１４は、吸収性粒子状ポリマー材料領域（図示せず）を有する。吸収性粒子状ポリマー材料領域の範囲及び形状は、吸収性コア１４の所望の用途、及び組み込まれ得る特定の吸収性物品に応じて、様々であってよい。しかしながら、いくつかの実施形態では、吸収性粒子状ポリマー材料領域は、吸収性コア１４の実質的に全体にわたって延びる。いくつかの実施形態では、吸収性粒子状ポリマー材料６６及び７４は、吸収性粒子状ポリマー材料領域全体にわたって実質的に連続して分布する。
【００６８】
吸収性コア１４内に存在する吸収性微粒子ポリマー材料６６及び吸収性微粒子ポリマー材料７４の量は、様々であり得るが、ある実施形態では、吸収性コアの約８０重量％を超える、又は吸収性コアの８５重量％を超える、又は吸収性コアの９０重量％を超える、又はコアの９５重量％を超える量で、吸収性コア内に存在する。いくつかの実施形態では、吸収性コア１４は、第１基材６４、及び第２基材７２、吸収性粒子状ポリマー材料６６及び７４、並びに熱可塑性接着剤組成物６８及び７６によって基本的に構成される。いくつかの実施形態では、吸収性コア１４は、実質的にセルロースを含まなくてもよい。
【００６９】
吸収性粒子状ポリマー材料領域は、着用時の快適性を増大するために吸収性物品の股部領域中で比較的狭い幅を有してもよい。故に、吸収性粒子状ポリマー材料領域は、吸収性物品の前縁部及び後縁部まで等間隔に位置する横断方向線に沿って測定したとき、約１００ｍｍ、９０ｍｍ、８０ｍｍ、７０ｍｍ、６０ｍｍ未満、又は更に約５０ｍｍ未満の幅を有してもよい。
【００７０】
おむつなど、いくつかの吸収性物品において、着用者の液状排泄物は、主におむつの前方半分において生じ得る。したがって、吸収性コア１４の前側半分は、コアの吸収能力の大部分を占めるべきである。それ故、特定の実施形態によると、前記吸収性コア１４の前側半分は、超吸収性材料の約６０％超、又は超吸収性材料の約６５％、７０％、７５％、８０％、８５％、又は９０％超を含んでもよい。
【００７１】
特定の実施形態では、吸収性コア１４は、一般的に圧縮性であり、適合性があり、着用者の皮膚に刺激がなく、かつ尿及び他の特定の身体排出物などの液体を吸収し保持することのできる、あらゆる吸収性材料を更に含んでもよい。このような実施形態では、吸収性コア１４は、一般にエアフェルトと呼ばれる粉砕木材パルプ、捲縮セルロース塊、コフォームを包含するメルトブローポリマー、化学的に剛化、変性、若しくは架橋されたセルロース繊維、ティッシュラップとティッシュ積層体とを包含するティッシュ、吸収性フォーム、吸収性スポンジ、又は他のあらゆる既知の吸収性材料若しくは材料の組み合わせなど、使い捨ておむつ及び他の吸収性物品において一般に使用される多種多様の液体吸収性材料を含んでもよい。吸収性コア１４は、少量（通常約１０％未満）の材料、例えば、接着剤、ワックス、油などを更に含んでもよい。吸収性アセンブリとして使用するための代表的な吸収性構造は、米国特許第４，６１０，６７８号、同第４，８３４，７３５号、同第４，８８８，２３１号、同第５，２６０，３４５号、同第５，３８７，２０７号、同第５，３９７，３１６号、及び同第５，６２５，２２２号に記載されている。
【００７２】
熱可塑性接着剤材料６８及び７６は、吸収性粒子状ポリマー材料６６及び７４を覆い、少なくとも部分的に不動化するのに役立ち得る。いくつかの実施形態では、熱可塑性接着剤材料６８及び熱可塑性接着剤材料７６は、吸収性粒子状ポリマー材料６６及び吸収性粒子状ポリマー材料７４内で前記ポリマー間に本質的に均一に配置され得る。いくつかの実施形態では、熱可塑性接着剤材料６８及び熱可塑性接着剤材料７６は、吸収性粒子状ポリマー材料６６及び吸収性粒子状ポリマー材料７４と少なくとも部分的に接触しており、第１吸収層６０及び第２吸収層６２の基材層６４及び基材層７２と部分的に接触している、繊維性層として提供されてもよい。図３及び４は、このような構造体を示しており、この構造体において、吸収性粒子状ポリマー材料６６及び７４は、不連続な層として提供され、また繊維性熱可塑性接着剤材料６８及び繊維性熱可塑性接着剤材料７６の層は、吸収性粒子状ポリマー材料６６及び７４の層の上に置かれ、その結果、熱可塑性接着剤材料６８及び熱可塑性接着剤材料７６は、吸収性粒子状ポリマー材料６６及び７４と直接接触しているが、基材６４の第２表面８０及び基材７２の第２表面８４とも直接接触しており、基材は、吸収性粒子状ポリマー材料６６及び７４によって覆われていない。このことは、それ自体が本質的に長さ方向及び幅方向の寸法に比べて比較的小さい厚さの二次元構造体である熱可塑性接着剤材料６８及び７６の繊維性層に、本質的に三次元の構造を付与する。換言すれば、熱可塑性接着剤材料６８及び７６は、吸収性粒子状ポリマー材料６８及び７６、並びに基材６４及び基材７２の第２表面の間で波状である。
【００７３】
これにより、熱可塑性接着剤材料６８及び７６は、吸収性粒子状ポリマー材料６６及び７４を覆うための空洞を提供することができ、これにより、この材料を不動化する。更なる態様では、熱可塑性接着剤材料６８及び７６は、基材６４及び７２に結合し、その結果、吸収性粒子状ポリマー材料６６及び７４を基材６４及び７２に固着させる。したがって、いくつかの実施形態により、熱可塑性接着材料６８及び７６は、湿潤した際に、吸収性粒子状ポリマー材料６６及び７４を不動化する。いくつかの熱可塑性接着剤材料はまた、吸収性粒子状ポリマー材料６６及び７４並びに基材６４及び７２の両方に浸透し、その結果、更なる不動化及び固着をもたらす。勿論、本明細書に開示される熱可塑性接着剤材料は、湿潤不動化（即ち、物品が濡れた状態であるとき又は少なくとも部分的に負荷されたときの吸収性材料の不動化）を大きく改善する一方、これらの熱可塑性接着剤材料は、吸収性コア１４が乾燥状態であるときにも吸収性材料を非常に良好に不動化する。熱可塑性接着剤材料６８及び７６は、ホットメルト接着剤と呼ばれることもある。
【００７４】
特定の実施形態によると、熱可塑性接着剤材料６８及び熱可塑性接着剤材料７６は、ＡＳＴＭ法Ｄ−３６−９５「環球法（Ring and Ball）」によって決定されるように、摂氏５０度〜３００度の範囲の軟化点を有する単一熱可塑性ポリマー又は熱可塑性ポリマーのブレンドをそっくりそのまま含んでもよく、又は別の方法としては、熱可塑性接着剤材料は、粘着付与樹脂、可塑剤、及び酸化防止剤などの添加剤などの他の熱可塑性希釈剤と組み合わせた少なくとも１つの熱可塑性ポリマーを含む、ホットメルト接着剤であってもよい。特定の実施形態において、熱可塑性ポリマーは、１０，０００分子量超（Ｍｗ）、及び一般的に室温未満、又は摂氏−６度より高く１６度より低いガラス転移温度（Ｔｇ）を有してもよい。いくつかの実施形態において、ホットメルト内におけるポリマーの典型的な濃度は、約２０重量％〜約４０重量％の範囲内にある。ある実施形態では、熱可塑性ポリマーは水の影響を受けないものでよい。例示的なポリマーは、Ａ−Ｂ−Ａ三元ブロック構造、Ａ−Ｂ二元ブロック構造、及び（Ａ−Ｂ）ｎ放射状ブロックコポリマー構造を含む（スチレン）ブロックコポリマーであり、ただしＡブロックは、一般的にポリスチレンからなる非エラストマーポリマーブロックであり、Ｂブロックは不飽和共役ジエン又はその（部分）水素添加物である。Ｂブロックは典型的には、イソプレン、ブタジエン、エチレン／ブチレン（水素添加ブタジエン）、エチレン／プロピレン（水素添加イソプレン）、及びこれらの混合物である。
【００７５】
使用してもよい他の好適な熱可塑性ポリマーは、メタロセンポリオレフィンであり、これは、単一サイト又はメタロセン触媒を使用して調製されるエチレンポリマーである。その場合、少なくとも１種類のコモノマーをエチレンと重合して、コポリマー、ターポリマー、又はより高次のポリマーを調製することができる。同様に適用可能なものは、Ｃ２〜Ｃ８のαオレフィンのホモポリマー、コポリマー、又はターポリマーである、非晶質ポリオレフィン又は非晶質ポリαオレフィン（ＡＰＡＯ）である。
【００７６】
例示的な実施形態では、粘着付与樹脂は、５，０００未満の分子量（Ｍｗ）、及び通常は室温よりも高いＴｇを有し得るだけでなく、ホットメルト中の樹脂の一般的な濃度は約３０〜約６０％の範囲であり、可塑剤は典型的には１，０００未満の低分子量（Ｍｗ）及び室温よりも低いＴｇを有し、一般的な濃度は約０〜約１５％である。
【００７７】
特定の実施形態では、熱可塑性接着剤材料６８及び７６は、繊維の形態で存在する。いくつかの実施形態では、繊維は、約１〜約５０マイクロメートル又は約１〜約３５マイクロメートルの平均厚さ、及び約５ｍｍ〜約５０ｍｍ、又は約５ｍｍ〜約３０ｍｍの平均長さを有し得る。基材６４及び７２に対する、又は任意の他の層、特に任意の他の不織布層に対する熱可塑性接着剤材料６８及び７６の接着性を改善するためには、このような層は、補助接着剤により前処理されてもよい。
【００７８】
吸収性コア１４はまた、図面に例示されていない補助接着剤を含んでもよい。吸収性微粒子ポリマー材料６６及び７４の適用前に、各基材６４及び７２に対する吸収性微粒子ポリマー材料６６及び７４並びに熱可塑性接着剤材料６８及び７６の接着性を向上させるために、補助接着剤が、第１の吸収層６０及び第２の吸収層６２の各々の第１の基材６４及び第２の基材７２上に付着されてもよい。補助接着剤は、吸収性粒子状ポリマー材料６６及び７４を不動化するのを補助することもでき、上述したのと同じ熱可塑性接着剤材料を含んでもよく、又は更に他の接着剤を含んでもよい。そのような他の接着剤は、スプレー可能なホットメルト接着剤を含むがそれに限られず、例としてはＨ．Ｂ．Ｆｕｌｌｅｒ  Ｃｏ．（Ｓｔ．Ｐａｕｌ，ＭＮ）Ｐｒｏｄｕｃｔ  Ｎｏ．ＨＬ−１６２０−Ｂ．がある。補助接着剤は、様々な方法により基材６４及び７２に塗布され得る。例えば、いくつかの実施形態において、補助接着剤は、約０．５〜約２ｍｍ離間した、約０．５〜約１ｍｍの幅のスロットに塗布されてもよい。
【００７９】
図４に示される被覆層７０は、基材６４及び７２と同じ材料を含んでもよく、又は異なる材料を含んでもよい。特定の実施形態において、被覆層７０の材料は、基材６４及び７２のために有用であるものとして記載される上記の材料などの、不織布材料である。
【００８０】
本開示の多くは、おむつの形態の吸収性物品との関連において提示されるが、生理用ナプキンなどのその他の吸収性物品もまた、本明細書において開示されるトップシート及び関連部品と組み合わせ得ることが理解されるべきである。生理用ナプキンなどのような吸収性物品は、着用者の股部にごく近接させて装着されるように設計されていてもよい。このような吸収性物品は、流体獲得及び保持を可能である必要があり、審美的に心地よい外観であり、加えて着用者にとって快適なものであり得る。生理用ナプキンの例は、米国特許出願公開第２０１０／００３６３３９号、同第２０１０／００３６３４７号、及び同第２０１０／００３６３４９号に提供され、この開示は本明細書において参照として組み込まれる。使用する際、生理用ナプキンは、様々な流体処理の要求によって負荷を受ける。生理用ナプキンなどの吸収性物品の異なる位置における様々な流体処理の要求、吸収性物品の部分と着用者の身体の部分との間の異なる物理的な相互作用、及び着用者の股部区域の異なる場所における異なる水分及び化学環境を考慮すると、審美的に魅力的であり、着用者にとって快適であるが、吸収性物品の性能を悪化させない吸収性物品が継続的に必要であり、この必要は扱われていない。本明細書において記載されるトップシートで作製された生理用ナプキンは、物品の身体に面する面に審美的に魅力的な表面をもたらす一方で、獲得層の性能を極度に悪化させず、着用中の物品の快適性を維持する。
【００８１】
本明細書に記載されている使い捨て吸収性物品（すなわち、おむつ、使い捨てパンツ、成人失禁用品、生理ナプキン、パンティライナー等）の構成要素は、２００７年９月２０日に公開されたＨｉｒｄらの米国特許出願公開第２００７／０２１９５２１Ａ１号、２０１１年６月１６日に公開されたＨｉｒｄらの米国特許出願公開第２０１１／０１３９６５８Ａ１号、２０１１年６月１６日に公開されたＨｉｒｄらの米国特許出願公開第２０１１／０１３９６５７Ａ１号、２０１年６月２３日に公開されたＨｉｒｄらの米国特許出願公開第２０１１／０１５２８１２Ａ１号、２０１１年６月１６日に公開されたＨｉｒｄらの米国特許出願公開第２０１１／０１３９６６２Ａ１号、及び２０１１年６月１６日に公開されたＨｉｒｄらの米国特許出願公開第２０１１／０１３９６５９Ａ１号に記載されているバイオソース内容物で少なくとも部分的に構成することができる。これらの構成要素としては、トップシート不織布、バックシートフィルム、バックシート不織布、サイドパネル不織布、バリア脚部カフ不織布、超吸収剤、不織布捕捉層、コアラップ不織布、接着剤、締着具フック、並びに締着具被着部材不織布及びフィルムベースが挙げられるが、これらに限定されない。
【００８２】
少なくとも１つの実施形態では、使い捨て吸収性物品構成要素は、ＡＳＴＭ  Ｄ６８６６−１０、方法Ｂを使用して、約１０％〜約１００％の生物系含有量値を含み、別の実施形態では、ＡＳＴＭ  Ｄ６８６６−１０、方法Ｂを使用して、約２５％〜約７５％、そして更に別の実施形態では、約５０％〜約６０％を含む。
【００８３】
任意の使い捨て吸収性物品構成要素のバイオベース含有量を決定するためにＡＳＴＭ  Ｄ６８６６−１０の方法を適用するためには、使い捨て吸収性物品構成要素の代表的なサンプルを試験用に入手する必要がある。少なくとも一実施形態では、使い捨て吸収性物品構成要素を、既知の磨砕方法（例えば、Ｗｉｌｅｙ（登録商標）ミル）を用いて約２０メッシュ未満の粒子に磨砕し、ランダムに混合した粒子から好適な質量の代表的なサンプルを採取することができる。
【００８４】
締着用構成要素
上述のように、使い捨て式の物品は締着部材４６を備えていてよい。締着部材４６は、締着具ゾーンを有していてよく、前記ゾーンには、外側の端部又はその近くに配置された締着具が含まれる。１つの例において、締着具は、面ファスナー式締着装置のフック構成要素を構成するフック材料の断片であり得る。この例において、前側腰部区域の衣類に面する表面は、面ファスナー式締着システムの係合するループ構成要素を構成するループ材料の断片又はストリップが付いた、横方向に延在する被着部材を有し得る。他の例は、締着を実現するように適合されている、任意の他の表面又は構成要素であって、協調して作動する、係合用表面又は構成要素及び受容用表面又は構成要素含んでいてよい。前記構成要素のそれぞれは、吸収性物品の締着ゾーン又は被着部材の一方にそれぞれ配置されていてよい。あるいは、例えばおむつのような吸収性物品が着用物に装着される際に、前記表面又は構成要素が腰部開口部のサイズを調節可能にし、快適な着け心地をもたらし得る限りにおいて、前記表面又は構成要素が吸収性物品のその他の所望の場所に配置されてもよい。ここで用いるのに好適な、締着システムの構成要素、その製造方法、及び材料は、米国特許出願公開第２０１０／０２８０４８４Ａ１号、米国特許第８２２６６２６号、米国特許第８１６８８５３号、及び米国特許第８１９３４０７号に、一般的に記載されている。弾性的／伸縮性部材（耳部）を作るのに好適であり得る伸縮性積層体の例が、国際特許出願公開第０５／１１０７３１号、米国特許出願公開第２００４／０１８１２００号、及び米国特許出願公開第２００４／０１９３１３３号に記載されている。
【００８５】
締着システムは、閉止部材（タブ）を備え得る。図６Ａを参照すると、閉止部材（タブ）は、３つのタブゾーンに分割されていてよいが、それらは、閉止部材（タブが）弾性的／伸縮性部材（耳部）に取り付けられた際の閉止部材（タブ）の位置によって特徴づけられている。タブゾーンＡは、閉止部材（タブ）の一部分であって、弾性的／伸縮性部材（耳部）に取り付けられておらず、弾性的／伸縮性部材（耳部）と同じ垂直平面上にもない（全く重なっていない）一部分から、タブゾーンＢを除いた部分として定義される。タブゾーンＣは、閉止部材（タブ）の一部分であって、弾性的／伸縮性部材（耳部）に取り付けられており、上方から見て、閉止部材（タブ）が水平位置において平らに置かれている際に、弾性的／伸縮性部材（耳部）と同じ垂直平面上にある（完全に重なっている）一部分から、タブゾーンＢを除いた部分として定義される。タブゾーンＢは、タブゾーンＡとタブゾーンＣとの間の移行領域を占めるが、閉止部材（タブ）の一部分であって、弾性的／伸縮性部材（耳部）に取り付けられておらず、上方から見て、閉止部材（タブ）が水平位置において平らに置かれている際に、弾性的／伸縮性部材（耳部）と同じ垂直平面上にもないサブ部分と、弾性的／伸縮性部材（耳部）に取り付けられており、上方から見て、閉止部材（タブ）が水平位置において平らに置かれている際に、弾性的／伸縮性部材（耳部）と同じ垂直平面上にある（部分的に重なる）サブ部分と、を含む閉止部材（タブ）の一部分として定義される。これらのタブゾーンは互いに平行であり、それぞれの横方向側部の境界線は直線になっている。
【００８６】
タブゾーンＢ内に位置する閉止部材（タブ）の一部分の主要な機能には、（ａ）タブゾーンＡ内に位置する閉止部材（タブ）の一部分とタブゾーンＣ内に位置する閉止部材（タブ）の一部分との間で、その円弧／半径についてスムーズで漸進的な移行を提供すること、（ｂ）荷重の分布とフィット感を改善する一方で、吸収性物品（例えば被着部材）の前側に閉止部材（タブ）を位置決めするのを改善するために、閉止部材（タブ）のタブゾーンＡ及びＢに位置する部分が好ましい角度となるようにすること、が含まれる。タブゾーンＡの好ましい角度は、それがタブゾーンＢ及びＣにわたって一定であれば、閉止部材の前側位置を、効果的な閉止及び／又は着用者の快適さのためには低すぎる位置に位置決めすることになる。
【００８７】
タブゾーンＡの幅は通常、１８〜３８ｍｍであり、好ましくは２０〜３５ｍｍであり、より好ましくは２０〜２５ｍｍである。タブゾーンＢの幅は通常、２〜２０ｍｍであり、好ましくは５〜２０ｍｍであり、より好ましくは５〜１５ｍｍである。いくつかの実施形態において、タブゾーンＢの幅は、弾性的／伸縮性部材（耳部）が吸収性物品の腰部区域に取り付けられている場所の遠位側にある、弾性的／伸縮性部材（耳部）の縁部に対して対称的には配置されていない。例えば、タブゾーンＢの幅が８ｍｍである場合、２ｍｍ分は弾性的／伸縮性部材（耳部）と重なっていてよいが、６ｍｍ分は重なっていなくてよい。いくつかの実施形態において、タブゾーンＢの幅は対照的に分配されている。先の例で言えば、４ｍｍ分は弾性的／伸縮性部材（耳部）に重なっていてよいが、４ｍｍ分は重なっていなくてよい。タブゾーンＣの幅は通常、１０〜２５ｍｍであり、好ましくは１０〜２０ｍｍであり、より好ましくは１２〜１８ｍｍである。上記３つのタブゾーンの幅を合計すると（すなわち、全幅）は通常、３５〜５５ｍｍであり、好ましくは４０〜５０ｍｍであり、より好ましくは４５〜５０ｍｍである。タブゾーンそれぞれの長さは通常、２５〜５０ｍｍであり、好ましくは２５〜４５ｍｍであり、より好ましくは２８〜４０ｍｍである。
【００８８】
図６Ｂ及び６Ｃを参照すると、閉止部材（タブ）がそれぞれのタブゾーンを通って移動する角度は、弾性的／伸縮性部材（耳部）に取り付けられる際の閉止部材（タブ）の位置によって特徴づけられていてよい。タブ角Ａは、（ｉ）閉止部材（タブ）の一方の縁部がタブゾーンＡとＢとの間の境界線と交差する点から、閉止部材（タブ）の同じ縁部がタブゾーンＡの他方の境界線に交差する点に引いた直線と、（ｉｉ）タブゾーンＡの、前記他方の境界線上に引いた直線と、がなす角として定義される。タブ角Ｂは、（ｉ）閉止部材（タブ）の一方の縁部がタブゾーンＡとＢとの間の境界線と交差する点から、閉止部材（タブ）の同じ縁部がタブゾーンＢとＣとの間の境界線に交差する点と、（ｉｉ）タブゾーンＡとＢとの間の境界線上に引いた直線と、がなす角として定義される。タブ角Ｃは、（ｉ）閉止部材（タブ）の一方の縁部がタブゾーンＢとＣとの間の境界線に交差する点から、閉止部材（タブ）の同じ縁部がタブゾーンＣの他方の縁部に交差する点と、（ｉｉ）タブゾーンＢとＣとの間の境界線上に引いた直線と、がなす角として定義される。
【００８９】
いくつかの実施形態において、任意の所与のタブゾーンに対するタブ角は、閉止部材（タブ）の縁部を使って測定する際に、前記部材の上側の縁部で測定しても、又は下側の縁部で測定しても実質的に同じであるか、又は同じである。それぞれのタブ角は通常、１０〜８０°であり、好ましくは４５〜７５°である。角Ａと角Ｂのそれぞれは、互いに独立であり、より好ましくは５５〜７５°である。互いに比較をすると、角Ａは角Ｂに等しくないか、若しくは実質的に角Ｂに類似しており、及び／又は、角Ｂは角Ｃに等しくないか、若しくは実質的に角Ｃに類似している。いくつかの実施形態において、角Ａと角Ｂとの差は５°又はそれより大きいが、好ましくは１０°である。いくつかの実施形態において、角Ｂは角Ａより大きい。いくつかの実施形態において、角Ｂと角Ｃとの差は５°又はそれより大きいが、好ましくは１０°である。いくつかの実施形態において、角Ｂは角Ｃより大きい。いくつかの実施形態において、角Ｂは角Ａより大きいが、その一方で角Ａは角Ｃより大きい。上述のように、好ましい実施形態において、角Ａ、角Ｂ、及び角Ｃは、それぞれ互いに等しくはない。
【００９０】
上述のように、締着システムは弾性的／伸縮性部材（耳部）を備えていてよい。図７Ａ、７Ｂ、及び７Ｃを参照すると、弾性的／伸縮性部材（耳部）は３つの耳部ゾーンに分割されていてよく、それぞれのゾーンは、閉止部材（タブ）が弾性的／伸縮性部材（耳部）に取り付けられた際の、閉止部材（タブ）の位置により特徴づけられている。耳部ゾーンＡ、Ｂ、及びＣは、閉止部材（タブ）の弾性的／伸縮性部材（耳部）への取り付け部分によって、すなわち、弾性的／伸縮性部材（耳部）と閉止部材（タブ）とがそれぞれに取り付けられた際の、弾性的／伸縮性部材（耳部）と閉止部材（タブ）とが交差する上側及び下側の点において引かれる、２本の水平線によって、その境界が定められている。耳部ゾーンＡは、弾性的／伸縮性部材（耳部）の部分であって、弾性的／伸縮性部材（耳部）と閉止部材（タブ）とが交差する上側の点を通って引かれた水平線より上方に位置する部分として定義される。耳部ゾーンＢは、弾性的／伸縮性部材（耳部）の部分であって、弾性的／伸縮性部材（耳部）と閉止部材（タブ）とが交差する上側の点を通って引かれた水平線と、弾性的／伸縮性部材（耳部）と閉止部材（タブ）とが交差する下側の点を通って引かれた水平線との間に位置する部分として定義される。耳部ゾーンＣは、弾性的／伸縮性部材（耳部）の部分であって、弾性的／伸縮性部材（耳部）と閉止部材（タブ）とが交差する上側の点を通って引かれた水平線より下方に位置する部分として定義される。耳部ゾーンはそれぞれに対して平行であり、且つ、耳部ゾーンＡとＢとの間の境界線、及び耳部ゾーンＢとＣとの間の境界線は、それぞれ直線である。
【００９１】
弾性的／伸縮性部材（耳部）の幅は通常、４０〜８０ｍｍであり、好ましくは４５〜７５ｍｍであり、より好ましくは４５〜５５ｍｍである。弾性的／伸縮性部材（耳部）の高さは通常、４０〜１３０ｍｍであり、好ましくは４５〜１２０ｍｍであり、より好ましくは８０〜１００ｍｍである。
【００９２】
出願者は、閉止部材（タブ）が弾性的／伸縮性部材（耳部）に取り付けられる際の、閉止部材（タブ）の垂直方向の配置が、被着部材に閉止部材（タブ）が取り付けられる際の力の方向づけに影響を及ぼし得るということも見出した。図９Ｂを参照すると、閉止部材（タブ）の遠位部分、すなわち弾性的／伸縮性部材に取り付けられていない方の端部、の中点（Ｍ）が特定されている。また、弾性的／伸縮性部材（耳部）の遠位縁部、すなわち吸収性物品の腰部区域に取り付けられていない方の端部が、弾性的／伸縮性部材（耳部）の下側縁部に移行する点を通る水平線も描かれている。いくつかの好ましい実施形態において、中点Ｍは、水平線Ｔの（機械方向に関して）上方に位置している。出願者はまた、タブゾーンＢ内の閉止部材（タブ）の高さに対する、閉止部材（タブ）の内側縁部における高さが、被着部材に閉止部材（タブ）が取り付けられる際の力の方向づけに影響を及ぼし得るということも見出した。図９Ｂに図示されているように、内側縁部の高さはｘとして、タブゾーンＢにおける高さはｙとして示される。いくつかの実施形態において、ｙは、弾性的／伸縮性部材（耳部）の外側縁部におけるタブゾーンＢの高さとして測定される。いくつかの実施形態において、ｙは、タブゾーンＢの（横方向の）中点でのタブゾーンＢの高さとして測定される。いくつかの実施形態において、ｙはタブゾーンＢにおける平均の高さとして測定される。好ましくは、いくつかの実施形態において、ｘはｙよりも大きいか、又は等しい。より好ましくはｘはｙより大きい。
【００９３】
上述のように、締着システムは、閉止部材（タブ）解放可能に係合するように適合されている被着部材を備えていてよい。出願者は、本発明の閉止部材（タブ）は、非矩形の被着部材と組み合わせるのに有利となり得るということを見出した。図８Ａを参照すると、非矩形の被着部材の形状は、被着部材の外側端部の上端部同士の間に引かれた水平線より下方に下がった被着部材の中心又は中央部分によって特徴づけられている。凹部の深さ（Ｄ）は通常、１０〜３０ｍｍであり、好ましくは１０〜２０ｍｍである。いくつかの実施形態において、凹部の深さは、被着部材の高さ（Ｈ）の関数として測定されるが、例えば、被着部材の横方向の中点で測定した場合に、深さＤの高さＨに対する割合は、１：３〜１：４である。いくつかの実施形態において、被着部材は、吸収性物品のトップシートに取り付けられている構成要素であってよく、又は吸収性物品のトップシートに一体になった１つの領域であってよい。
【００９４】
他の実施形態において、非矩形の被着部材は、図８Ｂに図示されているように、例えば印刷された図形のような矩形の被着部材上に重ねた目印を提供することにより、有利に形成することができる。矩形の被着部材が実際に存在している領域に重ねて、非矩形の被着部材が存在すると考えられる領域に印をつけることにより、実際の非矩形の被着部材を提供したことを役立てるような締着システムの相補的部分を係合することによって、吸収性物品をしっかり固定するための領域に閉止部材（タブ）を取り付けるための領域の位置を特定する上で、介護者に役立つようにしてもよい。そのような実施形態に関連する追加的利点としては、コストの削減がある。例えば、吸収性物品の構成部品を吸収性物品に組み立てる製造ラインで矩形の被着部材が用いられている製造ラインを、非矩形の被着部材が用いられている製造ラインに変えることに関連するコストがある。例えば、非矩形の被着部材として現れる図形を印刷することといった、印を提供するためのコストが、上述のコストよりも小さいならば、コストが削減できることになる。
【００９５】
上述のように、締着システムは、閉止部材（タブ）の、例えば、フックのような締着要素を、使用前に損傷から保護する剥離テープを備えていてよい。出願者は、本発明の閉止部材（タブ）は、図９Ａ〜９Ｄに示すように、弾性的／伸縮性部材の横方向の縁部により画定される軸線について、閉止部材（タブ）の像に実質的に鏡対象となるような寸法に形成される剥離テープと組み合わされるのに有利であるということを見出した。剥離テープと組み合わせて用いられる場合、閉止部材（タブ）の一部分であって、タブゾーンＢ内に位置する部分の機能は、剥離テープと締着テープとのサンドイッチ状のものが、閉止するために使用される間、ある荷重がかかる際に破れたり閉じたりすることを防ぐ、又は最小化するために、好ましくは少なくとも９０°である、それが開かれた状態でなす角（角Ｒ）を大きくすることを可能にすることを更に含む。いくつかの実施形態において、角Ｒは１２０°を超えず、好ましくは約１００°〜約１２０°である。図９Ｃ及び９Ｄに示すように、角Ｒを広げることは、弾性的／伸縮性部材の遠位端部が位置する軸線上の点又は頂点の存在を実質的に減らす。すなわち、いくつかの実施形態において、角Ｒは９０°〜１８０°であってよく、好ましくは１２０°〜１８０°であってよい。他の実施形態においては１８０°であってよい。例えば、図９Ｄにおいては、角Ｒは１８０°にまで広げられる。
【００９６】
出願者はまた、閉止部材（タブ）若しくは剥離テープ、又は閉止部材（タブ）と剥離テープとの両方が、（それぞれ独立して）弾性的／伸縮性部材（耳部）の（閉止部材（タブ）の場合には）上側縁部と、又は（剥離テープの場合には）下側縁部と連続的形状を形成するように構成されている場合に、力の分布が改善され得るということも見出した。このことは次の３通りの方法で実現され得る。（ａ）剥離テープのみが、弾性的／伸縮性部材（耳部）の下側縁部と連続的形状を形成する（不図示）。あるいは、好ましくは（ｂ）図９Ｂに図示するように、閉止部材（タブ）のみが、弾性的／伸縮性部材（耳部）の上側縁部と連続的形状を形成する。あるいは、より好ましくは（ｃ）図９Ｅに図示するように、閉止部材（タブ）が弾性的／伸縮性部材（耳部）の上側縁部と連続的形状を形成し、且つ剥離テープが、弾性的／伸縮性部材（耳部）の下側縁部と連続的形状を形成する。
【００９７】
他の実施形態において、図９Ｆ及び９Ｇのそれぞれに図示するように、閉止部材（タブ）も剥離テープも、（それぞれ独立して）弾性的／伸縮性部材（耳部）の（閉止部材（タブ）の場合には）上側縁部と、又は（剥離テープの場合には）下側縁部と連続的形状を形成するように構成されてはいない。
【００９８】
１つの好ましい実施形態において、図９Ｈに示すように、閉止部材（タブ）は、前記部材の内側縁部に延長部位を有し、閉止部材（タブ）が、弾性的／伸縮性部材（耳部）の上側縁部と連続的形状を形成し、且つ弾性的／伸縮性部材（耳部）の下側縁部と連続的形状を形成するように構成されている。
【００９９】
再び図９Ｅを参照すると、同図には、ある典型的な製造工程が図示されている。前記工程においては、弾性的／伸縮性部材材料のロールが機械方向に動き、剥離テープ／閉止部材（タブ）のサンドイッチが、前記サンドイッチの剥離テープ部分が弾性的／伸縮性部材材料の垂直平面の下方に配置され、前記サンドイッチの閉止部材（タブ）部分がそのような垂直平面の上方に配置されるように広げられる。続いて弾性的／伸縮性部材（耳部）の形状に撃ち抜かれ、閉止部材（タブ）又は剥離テープが弾性的／伸縮性部材（耳部）の上側縁部又は下側縁部とそれぞれ同じ形状となる。
【０１００】
出願者は、本発明に係る締着システムは、弾性的／伸縮性部材（耳部）によって閉止する間に発生する力を、あらかじめ定められた方法で又はあらかじめ定められた位置に方向づけることを見出した。例えば、着用者の腸骨稜又はその上方の区域に相当する、吸収性物品の上側腰部区域における力がより良いフィット感をもたらすように、弾性的／伸縮性部材（耳部）及び閉止システム（タブ）からの力を、吸収性物品のシャーシに方向づけることが好ましい。理論に縛られずに言うならば、この区域が吸収性物品を着用者の身体に摩擦によって係止するための、標的となる領域であると、出願者は考えている。このフィット感をより良く実現するには、吸収性物品の腰部区域に取り付けられている弾性的／伸縮性部材（耳部）の上部の力を方向づけると良い。対照的に、弾性的／伸縮性部材（耳部）の既存の設計及び弾性率の高い閉止部材（タブ）の既存の取付方法は適切に力を方向づけないばかりか、むしろ、力を２つの部材が取り付けられる中心線に沿って集中してしまう。そのため、吸収性物品のシャーシのうち腸骨稜の下方に力をかけてしまい、前記物品が使用中にずり落ちたり滑り落ちたりする一因となる。
【０１０１】
理論に縛られずに言うならば、着用者の腸骨稜又はその上方に吸収性物品を摩擦により係止して、時間が経っても吸収性物品のフィット感が維持できるようにするためには、耳部ゾーンＡ内に、歪みの大きい（すなわち、大きな力のかかる）重要な領域が存在し、その大きさは、耳部ゾーンＢと同等か又はやや大きいと、出願者は考えている。好ましくは、肌につく赤く痕又は脚の上部領域の不快感を減らすために、耳部ゾーンＡが耳部ゾーンＣよりも、より広い、大きな力の領域を有する。本発明に係る締着システムは、閉止部材（タブ）が弾性的／伸縮性部材（耳部）に取り付けられ、閉止部材（タブ）の、弾性的／伸縮性部材に接続されていない側の端部に荷重がかかり、弾性的／伸縮性部材（耳部）が１００％の歪みを起こすようになっている際の、耳部ゾーンＡの歪みの量によって特徴づけられていてよい。好適な試験方法の１つが、実施例のセクションで後述される。いくつかの実施形態において、弾性的／伸縮性部材の１００％の歪みで測定した、弾性的／伸縮性部材（耳部）の歪み率は、耳部ゾーンＡの少なくとも４０％が、７５％又はそれより大きい歪み率であり、好ましくは、耳部ゾーンＡの少なくとも６０％が７５％又はそれより大きい歪み率であり、より好ましくは、耳部ゾーンＡの少なくとも７０％が７５％又はそれより大きい歪み率である。いくつかの実施形態において、弾性的／伸縮性部材の１００％の歪みで測定した、弾性的／伸縮性部材（耳部）の歪み率は、耳部ゾーンＡの少なくとも５０％が、５０％又はそれより大きい歪み率であり、好ましくは、耳部ゾーンＡの少なくとも５０％が６０％又はそれより大きい歪み率であり、より好ましくは、耳部ゾーンＡの少なくとも５０％が７５％又はそれより大きい歪み率である。いくつかの実施形態において、弾性的／伸縮性部材の１００％の歪みで測定した、弾性的／伸縮性部材（耳部）の歪み率は、耳部ゾーンＡの少なくとも７５％が、５０％又はそれより大きい歪み率であり、好ましくは、耳部ゾーンＡの少なくとも６０％が７０％又はそれより大きい歪み率であり、より好ましくは、耳部ゾーンＡの少なくとも４５％が９０％又はそれより大きい歪み率である。いくつかの実施形態において、耳部ゾーンＡの上述の所与の領域の歪み率は、１００％を超えない。
【０１０２】
更に、出願者は、本発明に係る締着システムが追加的な利点を実現し得るということを見出したが、それらには、（ａ）テープのサンドイッチによる方法（例えば、締着テープ及び剥離テープのびょうぶひだ）によって、閉止部材（タブ）と弾性的／伸縮性部材（耳部）との接着部分の長さを最大化する場合に、それを実現するための、比較的安価な方法を提供すること、及び（ｂ）閉止部材（タブ）からのより幅の広い力のバンドを、弾性的／伸縮性部材（耳部）に作り出し、そのより広い力のバンドにより、フィット感を向上し、そのフィット感がしかもより快適なものになることと、が含まれる。
【０１０３】
また更に、本発明の閉止部材（タブ）が、（上述のような）形状に成形された被着部材と組み合わされる場合に、弾性的／伸縮性部材の最上部区域に力をさらに分配する能力が一層高められ、本発明の閉止部材（タブ）だけを用いたときと比べて、フィット感がより良く維持されるような結果となるということを、出願者は見出した。理論に縛られずに言うならば、上記のような形状に成形された被着部材の効果は、適用される閉止部材（タブ）を、弾性的／伸縮性部材の上側区域内の力をさらに増加させるような下向きの角度に導くことであると、出願者は考えている。
【実施例】
【０１０４】
以下の実施例は、本開示を理解するのに有益であろう。
【０１０５】
図１０〜１３に図示される点描図は、さまざまな閉止部材（タブ）が締着された弾性的／伸縮性部材（耳部）の歪みマッピングの結果を示す。図１０及び１２に図示される点描図においては、本発明に係る閉止部材（タブ）が用いられた。図１１及び１３に図示される点描図においては、先行技術に係る閉止部材（タブ）が用いられた。図中の目盛りは弾性的／伸縮性部材（耳部）の歪み率を表し、例えば、０．２５は２５％の歪みを表し、１．８０は１８０％の歪みを表す。歪みが測定され、点描図が生成されたが、そのために用いたのは、Ｖｉｃ−３Ｄ  ２００９ソフトウェア（ｖｅｒ．２００９．１．ｏ４７４ＭＳ）コリレーテッドソリューションズ社、サウスカロライナ州コロンビア（Correlated Solutions, Inc. Columbia, SC）であって、デジタル画像相関法を適用し、２台のフォトロンＳＡ３高速度ビデオカメラを用いる、市販のソフトウェアである。デジタル画像相関法は、物体の表面の変形を測定するために用いられる光学的方法である。上記方法は、（計測されている全表面領域のサブ部位として定義される）サブセットと呼ばれる狭小な近隣領域におけるグレースケール値の、変形中におけるパターンを追跡する。この方法を用いて、実際の物体の動きを測定し、ラグランジュ変形テンソルが、検体の表面のあらゆる点について入手できる。
【０１０６】
例示的サンプルは、弾性的／伸縮性部材（耳部）に締着されている閉止部材（タブ）を有する締着システムである。それぞれのサンプルは、以下に述べる材料を用いて構築されており、サンプル同士の違いはその形状にある。閉止部材（タブ）は、３層複合材のウェブであり、５０ｇｓｍのスパンボンド不織布を２８ｇｓｍのフィルムに、２５ｇｓｍの接着剤を用いて接着している。弾性的／伸縮性部材（耳部）は、５層複合材のウェブであり、２７ｇｓｍのポリプロピレンの毛羽立てた不織布を５４．５ｇｓｍのエラストマーフィルムに、１５．５ｇｓｍの接着剤を用いて接着しており、前記フィルムを、１７ｇｓｍのポリプロピレンＳＭＳ不織布に１５．５ｇｓｍの接着剤で接着したものである。それぞれの閉止部材（タブ）は、弾性的／伸縮性部材（耳部）に締着されていた。ひとたび構築されると、それぞれのサンプルは引張試験にかけられたが、前記試験では、サンプルに負荷をかけて歪みを生じさせている。吸収性物品とともに締着システムを普通に使用するのをシミュレーションするために、サンプルは湾曲した表面の上で試験されたが、前記試験においては、締着システムは、子供のヒップのマネキンに着せられて、弾性的／伸縮性部材（耳部）の端部で、吸収性物品の腰部バンドに接着させられるようになっている端部が、マネキンの一方の側部でマネキンに固定された。締着システムがマネキンに着せられ、閉止部材（タブ）の端部であって、吸収性物品の、例えば被着部材のような相補的腰部バンドに接着されるようになっている端部が、８５０ｇの重りに取り付けられた。引張試験が実施された。歪みの測定（「歪みマッピング」）が試験の間に実行される。歪みマッピング技法は、次のような手順にしたがって実行してもよい。
（１）サンプルを用意する：サンプルはサンプルより大きい面積を持つボール紙の上に平らにして置かれ、平らに保つためにその場にテープで止められる。極細先端の油性マーカーを用いて、点をランダムに、サンプルの表面全体にわたって、非常に密なパターンで打つ。
（２）試験を実行する：２台の較正済み高速度ビデオカメラの焦点をサンプルに合わせるが、その際、試験領域が完全に視野内に収まるようにする。カメラのスイッチを入れ、引張試験にしたがってサンプルが張力で引っ張られるビデオイメージデータを連続的にキャプチャするようにする。試験の終わりに、イメージは、カメラを制御するコンピュータに保存され、Ｖｉｃ−３Ｄイメージ処理ソフトウェアにより事後処理される。
（３）結果を点描する：ＶＩＣ−３Ｄソフトウェアを用いて、両方のカメラからのデータのセットが、歪みマップを処理生成するために使用される。前記ソフトウェアの内部には、その操作者がさまざまなデータのタイプを見ることを可能にする設定項目がいくつかある。ここでは、主要な歪みが２Ｄ点描用に選択される。測定される歪みの領域用に解像度を最適化するために最大及び最小歪み範囲が操作される。
【０１０７】
サンプルＡは、本発明に係る閉止部材（タブ）を有する締着システムである。サンプルＢは、先行技術に係る閉止部材（タブ）で、わずかに斜めの位置の、真っ直ぐな／矩形の形状を有する閉止部材（タブ）を有する締着システムである。サンプルＣは、本発明に係る閉止部材（タブ）を有する締着システムである。サンプルＤは、先行技術に係る閉止部材（タブ）で、横方向位置の、真っ直ぐな／矩形の形状を有する閉止部材（タブ）を有する締着システムである。
【０１０８】
サンプルＡ（図１０）及びＣ（図１２）それぞれの点描図は、サンプルＢ（図１１）及びＤ（図１３）のそれぞれ対応するものよりも、弾性的／伸縮性部材（耳部）により大きな力が加えられていることを示している。このことは、本発明に係るサンプルは、先行技術のサンプルと比べて、弾性的／伸縮性部材（耳部）の上部区域に対して大きな力をかけるようになっているということを示す。既に論じたように、この力は次に、吸収性物品の後側腰部区域の上部に方向づけられると考えられ、そのことが、吸収性物品を着用者の腸骨稜又はその上方に保持するのを助ける摩擦によって、装着中のフィット感を高める。
【０１０９】
サンプルＥは、本発明に係る被着部材と組み合わされた、本発明に係る閉止部材（タブ）を有する締着システムである。サンプルＦは、先行技術に係る被着部材であって、矩形の形状を有する被着部材と組み合わされた、本発明に係る閉止部材（タブ）を有する締着システムである。サンプルＥ及びＦの閉止部材（タブ）の構成要素は、上のサンプルと同じ材料を用いて構築されたものである。サンプルＥ及びＦの被着部材の構成要素は、次に述べるような材料を用いて構築されており、サンプル間の違いは、その形状にある。被着部材は、２８ｇｓｍの毛羽立てたポリプロピレン繊維の不織布と、３３ｇｓｍのフィルムとの積層体の突出部である。
【０１１０】
サンプルＥ（図１４）の点描図は、サンプルＦ（図１５）よりも大きな力が弾性的／伸縮性部材（耳部）にかかっていることを示す。このことは、本発明に係る閉止部材（タブ）を本発明に係る被着部材と組み合わせたサンプルは、本発明に係る閉止部材（タブ）を先行技術の被着部材と組み合わせたものよりも、かなり大きな力を、弾性的／伸縮性部材（耳部）の上部区域に提供するということを示す。既に論じたように、この力は次に、吸収性物品の後側腰部区域の上部に方向づけられると考えられ、そのことが、吸収性物品を着用者の腸骨稜又はその上方に保持するのを助ける摩擦によって、装着中のフィット感を高める。
【０１１１】
サンプルＧは、本発明に係る剥離テープと組み合わされた、本発明に係る閉止部材（タブ）を有する締着システムである。サンプルＧの閉止部材（タブ）の構成要素は、上記のサンプルと同じ材料を用いて構築された。サンプルＧの剥離テープの構成要素は、２８ｇｓｍのフィルムを用いて構築されたが、閉止部材（タブ）及び剥離テープは（それぞれ独立して）、（閉止部材（タブ）の場合には）上側縁部と、又は（剥離テープの場合には）下側縁部と連続する形状を形成するように構成されていた。
【０１１２】
サンプルＧの点描図（図１６）は、弾性的／伸縮性部材に大きな力がかかっていることを示す。このことは、本発明に係る閉止部材（タブ）を本発明に係る剥離テープと組み合わせたサンプルは、弾性的／伸縮性部材（耳部）の上部区域にかなり大きな力がかかっていることを示す。既に論じたように、この力は次に、吸収性物品の後側腰部区域の上部に方向づけられると考えられ、そのことが、吸収性物品を着用者の腸骨稜又はその上方に保持するのを助ける摩擦によって、装着中のフィット感を高める。
【０１１３】
本明細書に開示した寸法及び値は、記載された正確な数値に厳密に限定されるものと理解されるべきではない。むしろ、特に断らないかぎり、そのような寸法のそれぞれは、記載された値及びその値の周辺の機能的に同等の範囲の両方を意味するものとする。例えば、「４０ｍｍ」として開示される寸法は、「約４０ｍｍ」を意味することを意図する。
【０１１４】
任意の相互参照又は関連特許若しくは関連出願を包含する本明細書に引用される全ての文献は、明確に除外ないしは別の方法で限定されない限り、その全てを本明細書中に参照により組み込まれる。いずれの文献の引用も、こうした文献が本願で開示又は特許請求される全ての発明に対する先行技術であることに同意するものではなく、また、こうした文献が、単独で、あるいは他の全ての参照文献とのあらゆる組み合わせにおいて、こうした発明のいずれかを参照、教示、示唆又は開示していることに同意するものでもない。更に、本文書において、用語の任意の意味又は定義の範囲が、参考として組み込まれた文書中の同様の用語の任意の意味又は定義と矛盾する場合には、本文書中で用語に割り当てられる意味又は定義に準拠するものとする。
【０１１５】
本発明の特定の実施形態が例示され記載されてきたが、本発明の趣旨及び範囲から逸脱することなく他の様々な変更及び修正を実施できることは、当業者には自明であろう。したがって、本発明の範囲内にあるそのようなすべての変更及び修正を添付の特許請求の範囲で扱うものとする。
【図１】
0006033966.tif 000002
【図２】
0006033966.tif 000003
【図３】
0006033966.tif 000004
【図４】
0006033966.tif 000005
【図５Ａ】
0006033966.tif 000006
【図５Ｂ】
0006033966.tif 000007
【図６Ａ】
0006033966.tif 000008
【図６Ｂ】
0006033966.tif 000009
【図６Ｃ】
0006033966.tif 000010
【図７Ａ】
0006033966.tif 000011
【図７Ｂ】
0006033966.tif 000012
【図７Ｃ】
0006033966.tif 000013
【図８Ａ】
0006033966.tif 000014
【図８Ｂ】
0006033966.tif 000015
【図９Ａ】
0006033966.tif 000016
【図９Ｂ】
0006033966.tif 000017
【図９Ｃ】
0006033966.tif 000018
【図９Ｄ】
0006033966.tif 000019
【図９Ｅ】
0006033966.tif 000020
【図９Ｆ】
0006033966.tif 000021
【図９Ｇ】
0006033966.tif 000022
【図９Ｈ】
0006033966.tif 000023
【図１０】
0006033966.tif 000024
【図１１】
0006033966.tif 000025
【図１２】
0006033966.tif 000026
【図１３】
0006033966.tif 000027
【図１４】
0006033966.tif 000028
【図１５】
0006033966.tif 000029
【図１６】
0006033966.tif 000030